(57)【要約】  ワイヤレス通信のための方法、システム、およびデバイスが説明される。いくつかのシステムでは、ユーザ機器(UE)が、選択された同期信号ブロック(SSB)に基づいてランダムアクセス(RACH)プロシージャを実行し得る。このRACHプロシージャの間、基地局は、UE RACHメッセージ処理のために、物理ダウンリンク制御チャネル(PDCCH)メッセージを送信してよい。RACHメッセージ2、3、または4(Msg2/3/4)に対するPDCCHシグナリングを受信するために、UEは、選択されたSSBと擬似コロケート(QCL)されていないSSBを送信するために基地局によって使用される時間リソースのセットを識別してよい。UEは、リソースのこの識別済みのセットとオーバーラップしないMsg2/3/4探索空間を識別してよく、この識別済みの探索空間を監視してよい。探索空間は、基地局によって示される修正済みの残存最小システム情報(RMSI)探索空間、または基地局によって示されない有効なRMSI探索空間に相当し得る。
2021521711.tif 000002
【特許請求の範囲】
【請求項１】
ユーザ機器(UE)におけるワイヤレス通信のための方法であって、
第1の受信ビーム上で前記UEによって受信された同期信号ブロック(SSB)に少なくとも部分的に基づいて第1のランダムアクセス(RACH)メッセージを基地局へ送信するステップと、
前記基地局からの1つまたは複数の他のSSBの送信のために前記基地局によって使用される時間リソースのセットを識別するステップと、
前記第1のRACHメッセージに少なくとも部分的に基づいて、物理ダウンリンク制御チャネル(PDCCH)メッセージを受信するための探索空間を識別するステップであって、前記識別済みの探索空間が、時間リソースの前記識別済みのセットとは異なる時間リソースを備える、ステップと、
前記識別済みの探索空間の中で前記PDCCHメッセージを求めて監視するステップと
を備える方法。
【請求項２】
前記PDCCHメッセージが、RACHメッセージ2(Msg2)送信に対するPDCCH許可、RACHメッセージ3(Msg3)送信に対するPDCCH許可、RACHメッセージ4(Msg4)送信に対するPDCCH許可、またはそれらの組合せを備える、請求項1に記載の方法。
【請求項３】
前記1つまたは複数の他のSSBが、前記第1の受信ビームとは異なる受信ビーム上で前記UEによって受信される、請求項1に記載の方法。
【請求項４】
前記SSBに対応し物理ブロードキャストチャネル(PBCH)構成を介して構成される残存最小システム情報(RMSI)探索空間を識別するステップ
をさらに備える、請求項1に記載の方法。
【請求項５】
前記探索空間を識別するステップが、
時間リソースの前記識別済みのセットとオーバーラップする前記識別済みのRMSI探索空間から時間リソースを除去するステップをさらに備え、前記識別済みの探索空間が、前記識別済みのRMSI探索空間の残りの時間リソースを備える、
請求項4に記載の方法。
【請求項６】
前記識別済みのRMSI探索空間のための前記時間リソースを除去するステップが、
前記識別済みのRMSI探索空間のスロットレベル周期性を変更するステップを備え、前記識別済みの探索空間が、前記識別済みのRMSI探索空間と同じシンボルインデックスロケーションを備えるが、前記識別済みのRMSI探索空間の前記変更済みのスロットレベル周期性を有する、
請求項5に記載の方法。
【請求項７】
前記探索空間を識別するステップが、
前記基地局からのRMSI送信に少なくとも部分的に基づいて、デフォルト探索空間を実施すべきと決定するステップと、
前記RMSI探索空間の監視機会に少なくとも部分的に基づいて、前記PDCCHメッセージを求めて監視するための監視機会を識別するステップと
をさらに備える、
請求項4に記載の方法。
【請求項８】
前記探索空間を識別するステップが、
時間リソースの前記識別済みのセットとオーバーラップしない時間リソースを有する残存最小システム情報(RMSI)探索空間を識別するステップをさらに備え、前記識別済みの探索空間が、前記識別済みのRMSI探索空間を備える、
請求項1に記載の方法。
【請求項９】
前記探索空間のための時間リソースのセットの表示を前記基地局から受信するステップと、
前記探索空間のための時間リソースの示されるセットから、時間リソースの前記識別済みのセットの時間リソースを除去するステップと
をさらに備え、前記識別済みの探索空間が、前記探索空間のための時間リソースの前記示されるセットの残りの時間リソースを備える、
請求項1に記載の方法。
【請求項１０】
前記探索空間のための時間リソースの前記セットの前記表示が、前記探索空間用の時間ウィンドウを備え、
前記時間ウィンドウのスロットのサブセットが、前記識別済みの探索空間を備える、
請求項9に記載の方法。
【請求項１１】
スロットの前記サブセットが、前記時間ウィンドウの各スロットを備える、請求項10に記載の方法。
【請求項１２】
前記探索空間を識別するステップが、
前記第1のRACHメッセージを送信することに少なくとも部分的に基づいて前記探索空間の開始を識別するステップと、
応答タイマーに少なくとも部分的に基づいて前記探索空間の終了を識別するステップと
をさらに備える、
請求項1に記載の方法。
【請求項１３】
前記応答タイマーが、ランダムアクセス応答(RAR)ウィンドウ、競合解決タイマー、またはそれらの組合せを備える、請求項12に記載の方法。
【請求項１４】
前記基地局から前記SSBを受信するステップをさらに備え、前記第1のRACHメッセージが、前記SSBに対応するRACH機会の中で送信される、
請求項1に記載の方法。
【請求項１５】
前記第1の受信ビームを選択するステップであって、前記識別済みの探索空間が、時間リソースの前記識別済みのセットとは異なる前記時間リソースの間、前記選択された第1の受信ビームを使用して監視される、ステップと、
前記選択された第1の受信ビームとは異なる第2の受信ビームを選択するステップと、
時間リソースの前記識別済みのセットの間、前記選択された第2の受信ビームを使用して前記1つまたは複数の他のSSBのうちの少なくとも1つのSSBを求めて監視するステップと
をさらに備える、請求項1に記載の方法。
【請求項１６】
時間リソースの前記識別済みのセットとオーバーラップしない前記識別済みの探索空間のための前記時間リソースに少なくとも部分的に基づいて、前記1つまたは複数の他のSSBのうちの前記少なくとも1つのSSBを前記基地局から受信するステップ
をさらに備える、請求項15に記載の方法。
【請求項１７】
前記監視に少なくとも部分的に基づいて、前記識別済みの探索空間の制御チャネル要素(CCE)の中で前記PDCCHメッセージを受信するステップ
をさらに備える、請求項1に記載の方法。
【請求項１８】
前記1つまたは複数の他のSSBが、前記基地局によって実際に送信される1つまたは複数のSSBを備える、請求項1に記載の方法。
【請求項１９】
残存最小システム情報(RMSI)、他のシステム情報(OSI)、無線リソース制御(RRC)メッセージ、メディアアクセス制御(MAC)制御要素(CE)、ハンドオーバメッセージ、またはそれらの組合せの中で、前記基地局によって実際に送信される前記1つまたは複数のSSBの表示を前記基地局から受信するステップ
をさらに備える、請求項18に記載の方法。
【請求項２０】
前記1つまたは複数の他のSSBのロケーションが固定される、請求項1に記載の方法。
【請求項２１】
基地局におけるワイヤレス通信のための方法であって、
第1の受信ビーム上でユーザ機器(UE)によって受信された同期信号ブロック(SSB)に少なくとも部分的に基づいて第1のランダムアクセス(RACH)メッセージを前記UEから受信するステップと、
前記基地局による1つまたは複数の他のSSBの送信のために使用される時間リソースのセットを識別するステップと、
前記第1のRACHメッセージに少なくとも部分的に基づいて、前記UEが物理ダウンリンク制御チャネル(PDCCH)メッセージを受信するための探索空間を識別するステップであって、前記識別済みの探索空間が、時間リソースの前記識別済みのセットとは異なる時間リソースを備える、ステップと、
前記識別済みの探索空間内の制御チャネル要素(CCE)に前記PDCCHメッセージをマッピングするステップと、
前記マッピングに従って前記PDCCHメッセージを前記UEへ送信するステップと
を備える方法。
【請求項２２】
前記PDCCHメッセージが、RACHメッセージ2(Msg2)送信に対するPDCCH許可、RACHメッセージ3(Msg3)送信に対するPDCCH許可、RACHメッセージ4(Msg4)送信に対するPDCCH許可、またはそれらの組合せを備える、請求項21に記載の方法。
【請求項２３】
前記1つまたは複数の他のSSBが、前記第1の受信ビームとは異なる受信ビーム上で前記UEによって受信される、請求項21に記載の方法。
【請求項２４】
前記SSBに対応し物理ブロードキャストチャネル(PBCH)構成を介して構成される残存最小システム情報(RMSI)探索空間を識別するステップ
をさらに備える、請求項21に記載の方法。
【請求項２５】
前記探索空間を識別するステップが、
時間リソースの前記識別済みのセットとオーバーラップする前記識別済みのRMSI探索空間から時間リソースを除去するステップをさらに備え、前記識別済みの探索空間が、前記識別済みのRMSI探索空間の残りの時間リソースを備える、
請求項24に記載の方法。
【請求項２６】
前記識別済みのRMSI探索空間のための前記時間リソースを除去するステップが、
前記識別済みのRMSI探索空間のスロットレベル周期性を変更するステップを備え、前記識別済みの探索空間が、前記識別済みのRMSI探索空間と同じシンボルインデックスロケーションを備えるが、前記識別済みのRMSI探索空間の前記変更済みのスロットレベル周期性を有する、
請求項25に記載の方法。
【請求項２７】
前記探索空間を識別するステップが、
時間リソースの前記識別済みのセットとオーバーラップしない時間リソースを有する残存最小システム情報(RMSI)探索空間を識別するステップをさらに備え、前記識別済みの探索空間が、前記識別済みのRMSI探索空間を備える、
請求項21に記載の方法。
【請求項２８】
前記探索空間のための時間リソースのセットの表示を前記UEへ送信するステップと、
前記探索空間のための時間リソースの示されるセットから、時間リソースの前記識別済みのセットの時間リソースを除去するステップと
をさらに備え、前記識別済みの探索空間が、前記探索空間のための時間リソースの前記示されるセットの残りの時間リソースを備える、
請求項21に記載の方法。
【請求項２９】
前記探索空間のための時間リソースの前記セットの前記表示が、前記探索空間用の時間ウィンドウを備え、
前記時間ウィンドウのスロットのサブセットが、前記識別済みの探索空間を備える、
請求項28に記載の方法。
【請求項３０】
スロットの前記サブセットが、前記時間ウィンドウの各スロットを備える、請求項29に記載の方法。
【請求項３１】
前記SSBを前記UEへ送信するステップをさらに備え、前記第1のRACHメッセージが、前記SSBに対応するRACH機会の中で受信される、
請求項21に記載の方法。
【請求項３２】
ユーザ機器(UE)におけるワイヤレス通信のための装置であって、
プロセッサと、
前記プロセッサと電子通信しているメモリと、
前記メモリの中に記憶されるとともに前記プロセッサによって実行可能な命令と
を備え、前記命令が、前記装置に、
第1の受信ビーム上で前記UEによって受信された同期信号ブロック(SSB)に少なくとも部分的に基づいて第1のランダムアクセス(RACH)メッセージを基地局へ送信することと、
前記基地局からの1つまたは複数の他のSSBの送信のために前記基地局によって使用される時間リソースのセットを識別することと、
前記第1のRACHメッセージに少なくとも部分的に基づいて、物理ダウンリンク制御チャネル(PDCCH)メッセージを受信するための探索空間を識別することであって、前記識別済みの探索空間が、時間リソースの前記識別済みのセットとは異なる時間リソースを備える、識別することと、
前記識別済みの探索空間の中で前記PDCCHメッセージを求めて監視することと
を行わせる、
装置。
【請求項３３】
基地局におけるワイヤレス通信のための装置であって、
プロセッサと、
前記プロセッサと電子通信しているメモリと、
前記メモリの中に記憶されるとともに前記プロセッサによって実行可能な命令と
を備え、前記命令が、前記装置に、
第1の受信ビーム上でユーザ機器(UE)によって受信された同期信号ブロック(SSB)に少なくとも部分的に基づいて第1のランダムアクセス(RACH)メッセージを前記UEから受信することと、
前記基地局による1つまたは複数の他のSSBの送信のために使用される時間リソースのセットを識別することと、
前記第1のRACHメッセージに少なくとも部分的に基づいて、前記UEが物理ダウンリンク制御チャネル(PDCCH)メッセージを受信するための探索空間を識別することであって、前記識別済みの探索空間が、時間リソースの前記識別済みのセットとは異なる時間リソースを備える、識別することと、
前記識別済みの探索空間内の制御チャネル要素(CCE)に前記PDCCHメッセージをマッピングすることと、
前記マッピングに従って前記PDCCHメッセージを前記UEへ送信することと
を行わせる、
装置。
【請求項３４】
ユーザ機器(UE)におけるワイヤレス通信のための装置であって、
第1の受信ビーム上で前記UEによって受信された同期信号ブロック(SSB)に少なくとも部分的に基づいて第1のランダムアクセス(RACH)メッセージを基地局へ送信するための手段と、
前記基地局からの1つまたは複数の他のSSBの送信のために前記基地局によって使用される時間リソースのセットを識別するための手段と、
前記第1のRACHメッセージに少なくとも部分的に基づいて、物理ダウンリンク制御チャネル(PDCCH)メッセージを受信するための探索空間を識別するための手段であって、前記識別済みの探索空間が、時間リソースの前記識別済みのセットとは異なる時間リソースを備える、手段と、
前記識別済みの探索空間の中で前記PDCCHメッセージを求めて監視するための手段と
を備える装置。
【請求項３５】
前記PDCCHメッセージが、RACHメッセージ2(Msg2)送信に対するPDCCH許可、RACHメッセージ3(Msg3)送信に対するPDCCH許可、RACHメッセージ4(Msg4)送信に対するPDCCH許可、またはそれらの組合せを備える、請求項34に記載の装置。
【請求項３６】
前記1つまたは複数の他のSSBが、前記第1の受信ビームとは異なる受信ビーム上で前記UEによって受信される、請求項34に記載の装置。
【請求項３７】
前記SSBに対応し物理ブロードキャストチャネル(PBCH)構成を介して構成される残存最小システム情報(RMSI)探索空間を識別するための手段
をさらに備える、請求項34に記載の装置。
【請求項３８】
前記探索空間を識別するための前記手段が、
時間リソースの前記識別済みのセットとオーバーラップする前記識別済みのRMSI探索空間から時間リソースを除去するための手段をさらに備え、前記識別済みの探索空間が、前記識別済みのRMSI探索空間の残りの時間リソースを備える、
請求項37に記載の装置。
【請求項３９】
前記識別済みのRMSI探索空間のための前記時間リソースを除去するための前記手段が、
前記識別済みのRMSI探索空間のスロットレベル周期性を変更するための手段をさらに備え、前記識別済みの探索空間が、前記識別済みのRMSI探索空間と同じシンボルインデックスロケーションを備えるが、前記識別済みのRMSI探索空間の前記変更済みのスロットレベル周期性を有する、
請求項38に記載の装置。
【請求項４０】
前記探索空間を識別するための前記手段が、
前記基地局からのRMSI送信に少なくとも部分的に基づいて、デフォルト探索空間を実施すべきと決定するための手段と、
前記RMSI探索空間の監視機会に少なくとも部分的に基づいて、前記PDCCHメッセージを求めて監視するための監視機会を識別するための手段と
をさらに備える、
請求項37に記載の装置。
【請求項４１】
前記探索空間を識別するための前記手段が、
時間リソースの前記識別済みのセットとオーバーラップしない時間リソースを有する残存最小システム情報(RMSI)探索空間を識別するための手段をさらに備え、前記識別済みの探索空間が、前記識別済みのRMSI探索空間を備える、
請求項34に記載の装置。
【請求項４２】
前記探索空間のための時間リソースのセットの表示を前記基地局から受信するための手段と、
前記探索空間のための時間リソースの示されるセットから、時間リソースの前記識別済みのセットの時間リソースを除去するための手段と
をさらに備え、前記識別済みの探索空間が、前記探索空間のための時間リソースの前記示されるセットの残りの時間リソースを備える、
請求項34に記載の装置。
【請求項４３】
前記探索空間のための時間リソースの前記セットの前記表示が、前記探索空間用の時間ウィンドウを備え、
前記時間ウィンドウのスロットのサブセットが、前記識別済みの探索空間を備える、
請求項42に記載の装置。
【請求項４４】
スロットの前記サブセットが、前記時間ウィンドウの各スロットを備える、請求項43に記載の装置。
【請求項４５】
前記探索空間を識別するための前記手段が、
前記第1のRACHメッセージを送信することに少なくとも部分的に基づいて前記探索空間の開始を識別するための手段と、
応答タイマーに少なくとも部分的に基づいて前記探索空間の終了を識別するための手段と
をさらに備える、
請求項34に記載の装置。
【請求項４６】
前記応答タイマーが、ランダムアクセス応答(RAR)ウィンドウ、競合解決タイマー、またはそれらの組合せを備える、請求項45に記載の装置。
【請求項４７】
前記基地局から前記SSBを受信するための手段をさらに備え、前記第1のRACHメッセージが、前記SSBに対応するRACH機会の中で送信される、
請求項34に記載の装置。
【請求項４８】
前記第1の受信ビームを選択するための手段であって、前記識別済みの探索空間が、時間リソースの前記識別済みのセットとは異なる前記時間リソースの間、前記選択された第1の受信ビームを使用して監視される、手段と、
前記選択された第1の受信ビームとは異なる第2の受信ビームを選択するための手段と、
時間リソースの前記識別済みのセットの間、前記選択された第2の受信ビームを使用して前記1つまたは複数の他のSSBのうちの少なくとも1つのSSBを求めて監視するための手段と
をさらに備える、請求項34に記載の装置。
【請求項４９】
時間リソースの前記識別済みのセットとオーバーラップしない前記識別済みの探索空間のための前記時間リソースに少なくとも部分的に基づいて、前記1つまたは複数の他のSSBのうちの前記少なくとも1つのSSBを前記基地局から受信するための手段
をさらに備える、請求項48に記載の装置。
【請求項５０】
前記監視に少なくとも部分的に基づいて、前記識別済みの探索空間の制御チャネル要素(CCE)の中で前記PDCCHメッセージを受信するための手段
をさらに備える、請求項34に記載の装置。
【請求項５１】
前記1つまたは複数の他のSSBが、前記基地局によって実際に送信される1つまたは複数のSSBを備える、請求項34に記載の装置。
【請求項５２】
残存最小システム情報(RMSI)、他のシステム情報(OSI)、無線リソース制御(RRC)メッセージ、メディアアクセス制御(MAC)制御要素(CE)、ハンドオーバメッセージ、またはそれらの組合せの中で、前記基地局によって実際に送信される前記1つまたは複数のSSBの表示を前記基地局から受信するための手段
をさらに備える、請求項51に記載の装置。
【請求項５３】
前記1つまたは複数の他のSSBのロケーションが固定される、請求項34に記載の装置。
【請求項５４】
基地局におけるワイヤレス通信のための装置であって、
第1の受信ビーム上でユーザ機器(UE)によって受信された同期信号ブロック(SSB)に少なくとも部分的に基づいて第1のランダムアクセス(RACH)メッセージを前記UEから受信するための手段と、
前記基地局による1つまたは複数の他のSSBの送信のために使用される時間リソースのセットを識別するための手段と、
前記第1のRACHメッセージに少なくとも部分的に基づいて、前記UEが物理ダウンリンク制御チャネル(PDCCH)メッセージを受信するための探索空間を識別するための手段であって、前記識別済みの探索空間が、時間リソースの前記識別済みのセットとは異なる時間リソースを備える、手段と、
前記識別済みの探索空間内の制御チャネル要素(CCE)に前記PDCCHメッセージをマッピングするための手段と、
前記マッピングに従って前記PDCCHメッセージを前記UEへ送信するための手段と
を備える装置。
【請求項５５】
前記PDCCHメッセージが、RACHメッセージ2(Msg2)送信に対するPDCCH許可、RACHメッセージ3(Msg3)送信に対するPDCCH許可、RACHメッセージ4(Msg4)送信に対するPDCCH許可、またはそれらの組合せを備える、請求項54に記載の装置。
【請求項５６】
前記1つまたは複数の他のSSBが、前記第1の受信ビームとは異なる受信ビーム上で前記UEによって受信される、請求項54に記載の装置。
【請求項５７】
前記SSBに対応し物理ブロードキャストチャネル(PBCH)構成を介して構成される残存最小システム情報(RMSI)探索空間を識別するための手段
をさらに備える、請求項54に記載の装置。
【請求項５８】
前記探索空間を識別するための前記手段が、
時間リソースの前記識別済みのセットとオーバーラップする前記識別済みのRMSI探索空間から時間リソースを除去するための手段をさらに備え、前記識別済みの探索空間が、前記識別済みのRMSI探索空間の残りの時間リソースを備える、
請求項57に記載の装置。
【請求項５９】
前記識別済みのRMSI探索空間のための前記時間リソースを除去するための前記手段が、
前記識別済みのRMSI探索空間のスロットレベル周期性を変更するための手段をさらに備え、前記識別済みの探索空間が、前記識別済みのRMSI探索空間と同じシンボルインデックスロケーションを備えるが、前記識別済みのRMSI探索空間の前記変更済みのスロットレベル周期性を有する、
請求項58に記載の装置。
【請求項６０】
前記探索空間を識別するための前記手段が、
時間リソースの前記識別済みのセットとオーバーラップしない時間リソースを有する残存最小システム情報(RMSI)探索空間を識別するための手段をさらに備え、前記識別済みの探索空間が、前記識別済みのRMSI探索空間を備える、
請求項54に記載の装置。
【請求項６１】
前記探索空間のための時間リソースのセットの表示を前記UEへ送信するための手段と、
前記探索空間のための時間リソースの示されるセットから、時間リソースの前記識別済みのセットの時間リソースを除去するための手段と
をさらに備え、前記識別済みの探索空間が、前記探索空間のための時間リソースの前記示されるセットの残りの時間リソースを備える、
請求項54に記載の装置。
【請求項６２】
前記探索空間のための時間リソースの前記セットの前記表示が、前記探索空間用の時間ウィンドウを備え、
前記時間ウィンドウのスロットのサブセットが、前記識別済みの探索空間を備える、
請求項61に記載の装置。
【請求項６３】
スロットの前記サブセットが、前記時間ウィンドウの各スロットを備える、請求項62に記載の装置。
【請求項６４】
前記SSBを前記UEへ送信するための手段をさらに備え、前記第1のRACHメッセージが、前記SSBに対応するRACH機会の中で受信される、
請求項54に記載の装置。
【請求項６５】
ユーザ機器(UE)におけるワイヤレス通信のためのコードを記憶した非一時的コンピュータ可読記録媒体であって、前記コードが、
第1の受信ビーム上で前記UEによって受信された同期信号ブロック(SSB)に少なくとも部分的に基づいて第1のランダムアクセス(RACH)メッセージを基地局へ送信することと、
前記基地局からの1つまたは複数の他のSSBの送信のために前記基地局によって使用される時間リソースのセットを識別することと、
前記第1のRACHメッセージに少なくとも部分的に基づいて、物理ダウンリンク制御チャネル(PDCCH)メッセージを受信するための探索空間を識別することであって、前記識別済みの探索空間が、時間リソースの前記識別済みのセットとは異なる時間リソースを備える、識別することと、
前記識別済みの探索空間の中で前記PDCCHメッセージを求めて監視することと
を行うためにプロセッサによって実行可能な命令を備える、
非一時的コンピュータ可読記録媒体。
【請求項６６】
基地局におけるワイヤレス通信のためのコードを記憶した非一時的コンピュータ可読記録媒体であって、前記コードが、
第1の受信ビーム上でユーザ機器(UE)によって受信された同期信号ブロック(SSB)に少なくとも部分的に基づいて第1のランダムアクセス(RACH)メッセージを前記UEから受信することと、
前記基地局による1つまたは複数の他のSSBの送信のために使用される時間リソースのセットを識別することと、
前記第1のRACHメッセージに少なくとも部分的に基づいて、前記UEが物理ダウンリンク制御チャネル(PDCCH)メッセージを受信するための探索空間を識別することであって、前記識別済みの探索空間が、時間リソースの前記識別済みのセットとは異なる時間リソースを備える、識別することと、
前記識別済みの探索空間内の制御チャネル要素(CCE)に前記PDCCHメッセージをマッピングすることと、
前記マッピングに従って前記PDCCHメッセージを前記UEへ送信することと
を行うためにプロセッサによって実行可能な命令を備える、
非一時的コンピュータ可読記録媒体。
【発明の詳細な説明】
【技術分野】
【０００１】
相互参照
本特許出願は、各々が本出願の譲受人に譲渡される、2018年4月18日に出願された「Search Space Configurations for Random Access Messaging」と題するIslamらによる米国仮特許出願第62/659,616号、および2019年2月22日に出願された「Search Space Configurations for Random Access Messaging」と題するIslamらによる米国特許出願第16/282,614号の利益を主張する。
【０００２】
以下は、一般に、ワイヤレス通信に関し、より詳細には、ランダムアクセス(RACH)メッセージングのための探索空間構成に関する。
【背景技術】
【０００３】
ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース(たとえば、時間、周波数、および電力)を共有することによって複数のユーザとの通信をサポートすることが可能であり得る。そのような多元接続システムの例は、ロングタームエボリューション(LTE)システム、LTEアドバンスト(LTE-A)システム、またはLTE-A Proシステムなどの第4世代(4G)システム、およびニューラジオ(NR)システムと呼ばれることがある第5世代(5G)システムを含む。これらのシステムは、符号分割多元接続(CDMA)、時分割多元接続(TDMA)、周波数分割多元接続(FDMA)、直交周波数分割多元接続(OFDMA)、または離散フーリエ変換拡散直交周波数分割多重化(DFT-S-OFDM)などの技術を採用し得る。ワイヤレス多元接続通信システムは、場合によってはユーザ機器(UE)と呼ばれることがある複数の通信デバイスのための通信を各々が同時にサポートする、いくつかの基地局またはネットワークアクセスノードを含んでよい。
【０００４】
いくつかのワイヤレス通信システムでは、UEは、ワイヤレスネットワークへのアクセスを得るために、基地局とのRACHプロシージャを実行し得る。このRACHプロシージャは、RACHメッセージ1(Msg1)、メッセージ2(Msg2)、メッセージ3(Msg3)、およびメッセージ4(Msg4)送信を含む、UEと基地局との間でのいくつかのメッセージの通信を含んでよい。RACH Msg1は、UEから基地局へのRACHプリアンブル送信を含んでよく、RACH Msg2は、それに応答して送信されるランダムアクセス応答(RAR)メッセージを含んでよく、RACH Msg3は、UEから基地局へ送信される無線リソース制御(RRC)接続要求を含んでよく、およびRACH Msg4は、それに応答して基地局によって送信される、競合解決のためのメディアアクセス制御(MAC)制御要素(CE)を含んでよい。これらのRACHメッセージの各々は、ダウンリンク上で基地局によって送信される情報(たとえば、物理ダウンリンク制御チャネル(PDCCH)送信として送信されるスケジューリング許可)に関連し得る。しかしながら、UEは、他の送信(たとえば、同期シグナリング)の受信を妨げることなく、これらのPDCCH送信を受信すべきリソースを効率的に決定できないことがある。
【発明の概要】
【課題を解決するための手段】
【０００５】
説明する技法は、ランダムアクセス(RACH)メッセージングのための探索空間構成をサポートする改善された方法、システム、デバイス、または装置に関する。概して、説明する技法は、擬似コロケート(QCL:quasi-co-located)されていない送信を受信するための能力を維持しながらユーザ機器(UE)がRACHプロシージャを実行することを実現する。UEは、選択された同期信号ブロック(SSB:synchronization signal block)に基づいて基地局とのRACHプロシージャを開始してよい。このRACHプロシージャの間、基地局は、RACHメッセージ処理(たとえば、スケジューリング)のために、物理ダウンリンク制御チャネル(PDCCH)メッセージをUEへ送信してよい。RACHメッセージ2、3、または4(Msg2/3/4)のためのPDCCHシグナリングを受信するために、UEは、選択されたSSBとはQCLされていないSSBを送信するために基地局によって使用される時間リソースのセットを識別してよい。UEは、リソースのこの識別済みのセットとオーバーラップしないMsg2/3/4探索空間を識別してよく、その識別済みの探索空間を監視してよい。場合によっては、Msg2/3/4探索空間は、基地局によって示される修正済みの(たとえば、非QCL SSBと時間的に競合するリソースを除去することによって修正された)残存最小システム情報(RMSI)探索空間、または基地局によって示されない(たとえば、有効なRMSI探索空間のリソースが非QCL SSBと時間的に競合しない)有効なRMSI探索空間に対応し得る。その結果、UEは、Msg2/3/4探索空間に対する構成を受信し得、非QCL SSBと時間的にオーバーラップする構成済みの探索空間からリソースを除去し得る。UEは、識別済みの探索空間の設計に基づいて基地局からPDCCH送信および非QCL SSBを受信し得る。
【０００６】
UEにおけるワイヤレス通信のための方法が説明される。方法は、第1の受信ビーム上でUEによって受信されたSSBに基づいて第1のRACHメッセージを基地局へ送信することと、基地局からの1つまたは複数の他のSSBの送信のために基地局によって使用される時間リソースのセットを識別することと、第1のRACHメッセージに基づいて、PDCCHメッセージを受信するための探索空間を識別することであって、ここで、識別済みの探索空間が、時間リソースの識別済みのセットとは異なる時間リソースを含むことと、識別済みの探索空間の中でPDCCHメッセージを求めて監視することとを含んでよい。
【０００７】
UEにおけるワイヤレス通信のための装置が説明される。装置は、第1の受信ビーム上でUEによって受信されたSSBに基づいて第1のRACHメッセージを基地局へ送信するための手段と、基地局からの1つまたは複数の他のSSBの送信のために基地局によって使用される時間リソースのセットを識別するための手段と、第1のRACHメッセージに基づいて、PDCCHメッセージを受信するための探索空間を識別するための手段であって、ここで、識別済みの探索空間が、時間リソースの識別済みのセットとは異なる時間リソースを含む、手段と、識別済みの探索空間の中でPDCCHメッセージを求めて監視するための手段とを含んでよい。
【０００８】
UEにおけるワイヤレス通信のための別の装置が説明される。装置は、プロセッサ、プロセッサと電子通信しているメモリ、およびメモリの中に記憶された命令を含んでよい。命令は、プロセッサに、第1の受信ビーム上でUEによって受信されたSSBに基づいて第1のRACHメッセージを基地局へ送信することと、基地局からの1つまたは複数の他のSSBの送信のために基地局によって使用される時間リソースのセットを識別することと、第1のRACHメッセージに基づいて、PDCCHメッセージを受信するための探索空間を識別することであって、ここで、識別済みの探索空間が、時間リソースの識別済みのセットとは異なる時間リソースを含むことと、識別済みの探索空間の中でPDCCHメッセージを求めて監視することとをさせるように動作可能であってよい。
【０００９】
UEにおけるワイヤレス通信のための非一時的コンピュータ可読媒体が説明される。非一時的コンピュータ可読媒体は、プロセッサに、第1の受信ビーム上でUEによって受信されたSSBに基づいて第1のRACHメッセージを基地局へ送信することと、基地局からの1つまたは複数の他のSSBの送信のために基地局によって使用される時間リソースのセットを識別することと、第1のRACHメッセージに基づいて、PDCCHメッセージを受信するための探索空間を識別することであって、ここで、識別済みの探索空間が、時間リソースの識別済みのセットとは異なる時間リソースを含むことと、識別済みの探索空間の中でPDCCHメッセージを求めて監視することとをさせるように動作可能な命令を含んでよい。
【００１０】
本明細書で説明する方法、装置、および非一時的コンピュータ可読媒体のいくつかの例では、PDCCHメッセージは、RACHメッセージ2(Msg2)送信に対するPDCCH許可、RACHメッセージ3(Msg3)送信に対するPDCCH許可、RACHメッセージ4(Msg4)送信に対するPDCCH許可、またはそれらの組合せを含む。
【００１１】
本明細書で説明する方法、装置、および非一時的コンピュータ可読媒体のいくつかの例では、1つまたは複数の他のSSBは、第1の受信ビームとは異なってよい受信ビーム上でUEによって受信され得る。
【００１２】
本明細書で説明する方法、装置、および非一時的コンピュータ可読媒体のいくつかの例は、SSBに対応し物理ブロードキャストチャネル(PBCH)構成を介して構成されるRMSI探索空間を識別するための、プロセス、機能、手段、または命令をさらに含んでよい。
【００１３】
本明細書で説明する方法、装置、および非一時的コンピュータ可読媒体のいくつかの例では、探索空間を識別することは、時間リソースの識別済みのセットとオーバーラップする識別済みのRMSI探索空間から時間リソースを除去することをさらに含み、ここで、識別済みの探索空間は、識別済みのRMSI探索空間の残りの時間リソースを含む。
【００１４】
本明細書で説明する方法、装置、および非一時的コンピュータ可読媒体のいくつかの例では、識別済みのRMSI探索空間のための時間リソースを除去することは、識別済みのRMSI探索空間のスロットレベル周期性を変更することを含み、ここで、識別済みの探索空間は、識別済みのRMSI探索空間と同じシンボルインデックスロケーションを含むが、識別済みのRMSI探索空間の変更済みのスロットレベル周期性を有する。
【００１５】
本明細書で説明する方法、装置、および非一時的コンピュータ可読媒体のいくつかの例では、探索空間を識別することは、基地局からのRMSI送信に基づいて、デフォルト探索空間を実施すべきと決定することをさらに含む。本明細書で説明する方法、装置、および非一時的コンピュータ可読媒体のいくつかの例は、RMSI探索空間の監視機会に基づいて、PDCCHメッセージを求めて監視するための監視機会を識別するための、プロセス、機能、手段、または命令をさらに含んでよい。
【００１６】
本明細書で説明する方法、装置、および非一時的コンピュータ可読媒体のいくつかの例では、探索空間を識別することは、時間リソースの識別済みのセットとオーバーラップしない時間リソースを有するRMSI探索空間を識別することをさらに含み、ここで、識別済みの探索空間は、識別済みのRMSI探索空間を含む。
【００１７】
本明細書で説明する方法、装置、および非一時的コンピュータ可読媒体のいくつかの例は、探索空間のための時間リソースのセットの表示を基地局から受信するための、プロセス、機能、手段、または命令をさらに含んでよい。本明細書で説明する方法、装置、および非一時的コンピュータ可読媒体のいくつかの例は、探索空間のための時間リソースの示されるセットから、時間リソースの識別済みのセットの時間リソースを除去するための、プロセス、機能、手段、または命令をさらに含んでよく、ここで、識別済みの探索空間は、探索空間のための時間リソースの示されるセットの残りの時間リソースを含む。
【００１８】
本明細書で説明する方法、装置、および非一時的コンピュータ可読媒体のいくつかの例では、探索空間のための時間リソースのセットの表示は、探索空間用の時間ウィンドウを含む。本明細書で説明する方法、装置、および非一時的コンピュータ可読媒体のいくつかの例では、時間ウィンドウのスロットのサブセットは、識別済みの探索空間を含む。本明細書で説明する方法、装置、および非一時的コンピュータ可読媒体のいくつかの例では、スロットのサブセットは、時間ウィンドウの各スロットを含む。
【００１９】
本明細書で説明する方法、装置、および非一時的コンピュータ可読媒体のいくつかの例では、探索空間を識別することは、第1のRACHメッセージを送信することに基づいて探索空間の開始を識別することと、応答タイマーに基づいて探索空間の終了を識別することとをさらに含む。本明細書で説明する方法、装置、および非一時的コンピュータ可読媒体のいくつかの例では、応答タイマーは、ランダムアクセス応答(RAR)ウィンドウ、競合解決タイマー、またはそれらの組合せを含む。
【００２０】
本明細書で説明する方法、装置、および非一時的コンピュータ可読媒体のいくつかの例は、基地局からSSBを受信するための、プロセス、機能、手段、または命令をさらに含んでよく、ここで、第1のRACHメッセージは、SSBに対応するRACH機会の中で送信され得る。
【００２１】
本明細書で説明する方法、装置、および非一時的コンピュータ可読媒体のいくつかの例は、第1の受信ビームを選択するための、プロセス、機能、手段、または命令をさらに含んでよく、ここで、識別済みの探索空間は、時間リソースの識別済みのセットとは異なってよい時間リソースの間、選択された第1の受信ビームを使用して監視され得る。本明細書で説明する方法、装置、および非一時的コンピュータ可読媒体のいくつかの例は、選択された第1の受信ビームとは異なる第2の受信ビームを選択するための、プロセス、機能、手段、または命令をさらに含んでよい。本明細書で説明する方法、装置、および非一時的コンピュータ可読媒体のいくつかの例は、時間リソースの識別済みのセットの間、選択された第2の受信ビームを使用して1つまたは複数の他のSSBのうちの少なくとも1つのSSBを求めて監視するための、プロセス、機能、手段、または命令をさらに含んでよい。
【００２２】
本明細書で説明する方法、装置、および非一時的コンピュータ可読媒体のいくつかの例は、時間リソースの識別済みのセットとオーバーラップしない識別済みの探索空間のための時間リソースに基づいて、1つまたは複数の他のSSBのうちの少なくとも1つのSSBを基地局から受信するための、プロセス、機能、手段、または命令をさらに含んでよい。
【００２３】
本明細書で説明する方法、装置、および非一時的コンピュータ可読媒体のいくつかの例は、監視に基づいて、識別済みの探索空間の制御チャネル要素(CCE)の中でPDCCHメッセージを受信するための、プロセス、機能、手段、または命令をさらに含んでよい。
【００２４】
本明細書で説明する方法、装置、および非一時的コンピュータ可読媒体のいくつかの例では、1つまたは複数の他のSSBは、基地局によって実際に送信される1つまたは複数のSSBを含む。
【００２５】
本明細書で説明する方法、装置、および非一時的コンピュータ可読媒体のいくつかの例は、RMSI、他のシステム情報(OSI)、無線リソース制御(RRC)メッセージ、メディアアクセス制御(MAC)制御要素(CE)、ハンドオーバメッセージ、またはそれらの組合せの中で、基地局によって実際に送信される1つまたは複数のSSBの表示を基地局から受信するための、プロセス、機能、手段、または命令をさらに含んでよい。
【００２６】
本明細書で説明する方法、装置、および非一時的コンピュータ可読媒体のいくつかの例では、1つまたは複数の他のSSBのロケーションは固定されてよい。
【００２７】
基地局におけるワイヤレス通信のための方法が説明される。方法は、第1の受信ビーム上でUEによって受信されたSSBに基づいて第1のRACHメッセージをUEから受信することと、基地局による1つまたは複数の他のSSBの送信のために使用される時間リソースのセットを識別することと、第1のRACHメッセージに基づいて、UEがPDCCHメッセージを受信するための探索空間を識別することであって、ここで、識別済みの探索空間が、時間リソースの識別済みのセットとは異なる時間リソースを含むことと、識別済みの探索空間内のCCEにPDCCHメッセージをマッピングすることと、マッピングに従ってPDCCHメッセージをUEへ送信することとを含んでよい。
【００２８】
基地局におけるワイヤレス通信のための装置が説明される。装置は、第1の受信ビーム上でUEによって受信されたSSBに基づいて第1のRACHメッセージをUEから受信するための手段と、基地局による1つまたは複数の他のSSBの送信のために使用される時間リソースのセットを識別するための手段と、第1のRACHメッセージに基づいて、UEがPDCCHメッセージを受信するための探索空間を識別するための手段であって、ここで、識別済みの探索空間が、時間リソースの識別済みのセットとは異なる時間リソースを含む、手段と、識別済みの探索空間内のCCEにPDCCHメッセージをマッピングするための手段と、マッピングに従ってPDCCHメッセージをUEへ送信するための手段とを含んでよい。
【００２９】
基地局におけるワイヤレス通信のための別の装置が説明される。装置は、プロセッサ、プロセッサと電子通信しているメモリ、およびメモリの中に記憶された命令を含んでよい。命令は、プロセッサに、第1の受信ビーム上でUEによって受信されたSSBに基づいて第1のRACHメッセージをUEから受信することと、基地局による1つまたは複数の他のSSBの送信のために使用される時間リソースのセットを識別することと、第1のRACHメッセージに基づいて、UEがPDCCHメッセージを受信するための探索空間を識別することであって、ここで、識別済みの探索空間が、時間リソースの識別済みのセットとは異なる時間リソースを含むことと、識別済みの探索空間内のCCEにPDCCHメッセージをマッピングすることと、マッピングに従ってPDCCHメッセージをUEへ送信することとをさせるように動作可能であってよい。
【００３０】
基地局におけるワイヤレス通信のための非一時的コンピュータ可読媒体が説明される。非一時的コンピュータ可読媒体は、プロセッサに、第1の受信ビーム上でUEによって受信されたSSBに基づいて第1のRACHメッセージをUEから受信することと、基地局による1つまたは複数の他のSSBの送信のために使用される時間リソースのセットを識別することと、第1のRACHメッセージに基づいて、UEがPDCCHメッセージを受信するための探索空間を識別することであって、ここで、識別済みの探索空間が、時間リソースの識別済みのセットとは異なる時間リソースを含むことと、識別済みの探索空間内のCCEにPDCCHメッセージをマッピングすることと、マッピングに従ってPDCCHメッセージをUEへ送信することとをさせるように動作可能な命令を含んでよい。
【００３１】
本明細書で説明する方法、装置、および非一時的コンピュータ可読媒体のいくつかの例では、PDCCHメッセージは、RACH Msg2送信に対するPDCCH許可、RACH Msg3送信に対するPDCCH許可、RACH Msg4送信に対するPDCCH許可、またはそれらの組合せを含む。
【００３２】
本明細書で説明する方法、装置、および非一時的コンピュータ可読媒体のいくつかの例では、1つまたは複数の他のSSBは、第1の受信ビームとは異なってよい受信ビーム上でUEによって受信され得る。
【００３３】
本明細書で説明する方法、装置、および非一時的コンピュータ可読媒体のいくつかの例は、SSBに対応しPBCH構成を介して構成されるRMSI探索空間を識別するための、プロセス、機能、手段、または命令をさらに含んでよい。
【００３４】
本明細書で説明する方法、装置、および非一時的コンピュータ可読媒体のいくつかの例では、探索空間を識別することは、時間リソースの識別済みのセットとオーバーラップする識別済みのRMSI探索空間から時間リソースを除去することをさらに含み、ここで、識別済みの探索空間は、識別済みのRMSI探索空間の残りの時間リソースを含む。
【００３５】
本明細書で説明する方法、装置、および非一時的コンピュータ可読媒体のいくつかの例では、識別済みのRMSI探索空間のための時間リソースを除去することは、識別済みのRMSI探索空間のスロットレベル周期性を変更することを含み、ここで、識別済みの探索空間は、識別済みのRMSI探索空間と同じシンボルインデックスロケーションを備えるが、識別済みのRMSI探索空間の変更済みのスロットレベル周期性を有する。
【００３６】
本明細書で説明する方法、装置、および非一時的コンピュータ可読媒体のいくつかの例では、探索空間を識別することは、時間リソースの識別済みのセットとオーバーラップしない時間リソースを有するRMSI探索空間を識別することをさらに含み、ここで、識別済みの探索空間は、識別済みのRMSI探索空間を含む。
【００３７】
本明細書で説明する方法、装置、および非一時的コンピュータ可読媒体のいくつかの例は、探索空間のための時間リソースのセットの表示をUEへ送信するための、プロセス、機能、手段、または命令をさらに含んでよい。本明細書で説明する方法、装置、および非一時的コンピュータ可読媒体のいくつかの例は、探索空間のための時間リソースの示されるセットから、時間リソースの識別済みのセットの時間リソースを除去するための、プロセス、機能、手段、または命令をさらに含んでよく、ここで、識別済みの探索空間は、探索空間のための時間リソースの示されるセットの残りの時間リソースを含む。
【００３８】
本明細書で説明する方法、装置、および非一時的コンピュータ可読媒体のいくつかの例では、探索空間のための時間リソースのセットの表示は、探索空間用の時間ウィンドウを含む。本明細書で説明する方法、装置、および非一時的コンピュータ可読媒体のいくつかの例では、時間ウィンドウのスロットのサブセットは、識別済みの探索空間を含む。本明細書で説明する方法、装置、および非一時的コンピュータ可読媒体のいくつかの例では、スロットのサブセットは、時間ウィンドウの各スロットを含む。
【００３９】
本明細書で説明する方法、装置、および非一時的コンピュータ可読媒体のいくつかの例は、SSBをUEへ送信するための、プロセス、機能、手段、または命令をさらに含んでよく、ここで、第1のRACHメッセージは、SSBに対応するRACH機会の中で受信され得る。
【図面の簡単な説明】
【００４０】
【図１】本開示の態様によるランダムアクセス(RACH)メッセージングのための探索空間構成をサポートするワイヤレス通信システムの例を示す図である。
【図２】本開示の態様によるランダムアクセス(RACH)メッセージングのための探索空間構成をサポートするワイヤレス通信システムの例を示す図である。
【図３】本開示の態様によるRACHメッセージングのための探索空間構成をサポートするシグナリングタイムラインの一例を示す図である。
【図４】本開示の態様によるRACHメッセージングのための探索空間構成をサポートする可能な多重化パターンの例を示す図である。
【図５】本開示の態様によるRACHメッセージングのための探索空間構成をサポートするプロセスフローの一例を示す図である。
【図６】本開示の態様によるRACHメッセージングのための探索空間構成をサポートするデバイスのブロック図である。
【図７】本開示の態様によるRACHメッセージングのための探索空間構成をサポートするデバイスのブロック図である。
【図８】本開示の態様によるRACHメッセージングのための探索空間構成をサポートするデバイスのブロック図である。
【図９】本開示の態様によるRACHメッセージングのための探索空間構成をサポートするユーザ機器(UE)を含むシステムのブロック図である。
【図１０】本開示の態様によるRACHメッセージングのための探索空間構成をサポートするデバイスのブロック図である。
【図１１】本開示の態様によるRACHメッセージングのための探索空間構成をサポートするデバイスのブロック図である。
【図１２】本開示の態様によるRACHメッセージングのための探索空間構成をサポートするデバイスのブロック図である。
【図１３】本開示の態様によるRACHメッセージングのための探索空間構成をサポートする基地局を含むシステムのブロック図である。
【図１４】本開示の態様によるRACHメッセージングのための探索空間構成のための方法を示すフローチャートである。
【図１５】本開示の態様によるRACHメッセージングのための探索空間構成のための方法を示すフローチャートである。
【図１６】本開示の態様によるRACHメッセージングのための探索空間構成のための方法を示すフローチャートである。
【発明を実施するための形態】
【００４１】
いくつかのワイヤレス通信システム(たとえば、ニューラジオ(NR)システム)では、ユーザ機器(UE)は、ワイヤレスネットワークへのアクセスを得るために、基地局とのランダムアクセス(RACH)プロシージャを実行し得る。このRACHプロシージャは、RACHメッセージ1(Msg1)、メッセージ2(Msg2)、メッセージ3(Msg3)、およびメッセージ4(Msg4)送信を含む、UEと基地局との間でのいくつかのメッセージの通信を含んでよい。UEは、RACHプロシージャを開始するためにRACH Msg1(たとえば、RACHプリアンブル送信)を基地局へ送信してよい。場合によっては、UEは、基地局から同期信号ブロック(SSB)のセットを受信し得、RACH Msg1送信のために利用すべきSSBのうちの1つを選択し得る。基地局は、RACH Msg2(たとえば、ランダムアクセス応答(RAR)ウィンドウ内のRARメッセージ)を用いてRACH Msg1に応答してよい。UEは、次いで、RACH Msg3(たとえば、無線リソース制御(RRC)接続要求)を送信してよく、それに応答して基地局からRACH Msg4(たとえば、競合解決のためのメディアアクセス制御(MAC)制御要素(CE))を受信し得る。これらのメッセージの各々のスケジューリングは、基地局からUEへの物理ダウンリンク制御チャネル(PDCCH)シグナリングに基づいてよい。効率的な再送信能力をサポートしながらPDCCHシグナリング(たとえば、PDCCH許可)を受信するために、UEは、対応するPDCCH送信を求めて監視すべきRACHメッセージ2、3、または4(Msg2/3/4)探索空間を識別し得る。
【００４２】
たとえば、UEは、基地局によって実行されるSSB送信のセットを識別し得る。場合によっては、UEは、基地局からの残存最小システム情報(RMSI)シグナリングに基づいてSSBのこのセットを決定してよい。UEは、RACHプロシージャ用の選択されたSSBと擬似コロケート(QCL)されていないSSBのセットのSSBを識別してよく、これらの非QCL SSB送信のために基地局によって使用される時間リソースを決定してよい。UEは、これらの非QCL SSB用の時間リソースとオーバーラップしない探索空間(たとえば、デフォルトまたは構成済みのMsg2/3/4探索空間)を識別し得る。このことにより、UEが、Msg2/3/4探索空間の中でPDCCH送信を求めて監視するとともに非QCL SSBを求めて監視するために、受信ビームを切り替えることが可能になり得る。
【００４３】
第1の例では、UEは、物理ブロードキャストチャネル(PBCH)送信を介して構成されるRMSI探索空間を決定してよく、非QCL SSB用の時間リソースと時間的に競合する任意のリソースを除去することによってRMSI探索空間を修正してよい。UEは、修正済みのRMSI探索空間の監視機会を使用して、応答ウィンドウ(たとえば、RARウィンドウ)内に含まれるMsg2/3/4探索空間を識別し得る。第2の例では、UEは、非QCL SSB用の時間リソースとオーバーラップしない有効なRMSI探索空間をMsg2/3/4探索空間として使用してよく、ここで、有効なRMSI探索空間は、PBCHの中でシグナリングされなくてよい。第3の例では、UEは、基地局からMsg2/3/4探索空間構成を受信してよい。この構成は、低減された構成シグナリングオーバーヘッドのために、-スロットごとの特定のシンボル割振りではなく-時間範囲およびその時間範囲にわたるシンボル割振りを含んでよい。識別されたMsg2/3/4探索空間は、示される時間範囲およびシンボル割振りに基づいてよいが、非QCL SSB用の時間リソースとオーバーラップする構成からリソースを除去し得る。本明細書で説明する例のうちのいずれにおいても、UEは、基地局から非QCL SSBを受信するための能力を維持しながら、PDCCH送信を受信すべき識別済みの探索空間を監視し得る。これらの非QCL SSBを受信することは、RACHプロシージャの間のUEによるRACHメッセージ再送信のレイテンシを低減し得るとともにその信頼性を改善し得る。
【００４４】
本開示の態様は、最初にワイヤレス通信システムのコンテキストで説明される。シグナリングタイムライン、多重化パターン、およびプロセスフローに関して、本開示の追加の態様が説明される。本開示の態様は、RACHメッセージングのための探索空間構成に関係する装置図、システム図、およびフローチャートを参照しながらさらに図示および説明される。
【００４５】
図1は、本開示の態様によるRACHメッセージングのための探索空間構成をサポートするワイヤレス通信システム100の一例を示す。ワイヤレス通信システム100は、基地局105、UE115、およびコアネットワーク130を含む。いくつかの例では、ワイヤレス通信システム100は、ロングタームエボリューション(LTE)ネットワーク、LTEアドバンスト(LTE-A)ネットワーク、LTE-A Proネットワーク、またはNRネットワークであってよい。場合によっては、ワイヤレス通信システム100は、拡張ブロードバンド通信、超高信頼(たとえば、ミッションクリティカル)通信、低レイテンシ通信、または低コストかつ低複雑度のデバイスとの通信をサポートし得る。
【００４６】
基地局105は、1つまたは複数の基地局アンテナを介してUE115とワイヤレス通信し得る。本明細書で説明する基地局105は、トランシーバ基地局、無線基地局、アクセスポイント、無線トランシーバ、ノードB、eノードB(eNB)、次世代ノードBもしくはギガノードB(それらのうちのいずれもgNBと呼ばれることがある)、ホームノードB、ホームeノードB、またはいくつかの他の好適な用語を含んでよく、または当業者によってそのように呼ばれることがある。ワイヤレス通信システム100は、異なるタイプの基地局105(たとえば、マクロ基地局またはスモールセル基地局)を含んでよい。本明細書で説明するUE115は、マクロeNB、スモールセルeNB、gNB、中継基地局などを含む、様々なタイプの基地局105およびネットワーク機器と通信できる場合がある。
【００４７】
各基地局105は、様々なUE115との通信がサポートされる特定の地理的カバレージエリア110に関連し得る。各基地局105は、通信リンク125を介してそれぞれの地理的カバレージエリア110に通信カバレージを提供し得、基地局105とUE115との間の通信リンク125は、1つまたは複数のキャリアを利用し得る。ワイヤレス通信システム100において示される通信リンク125は、UE115から基地局105へのアップリンク送信、または基地局105からUE115へのダウンリンク送信を含んでよい。ダウンリンク送信は順方向リンク送信と呼ばれることもあり、アップリンク送信は逆方向リンク送信と呼ばれることもある。
【００４８】
基地局105のための地理的カバレージエリア110は、地理的カバレージエリア110の一部分のみを構成するセクタに分割されてよく、各セクタはセルに関連付けられてよい。たとえば、各基地局105は、マクロセル、スモールセル、ホットスポット、もしくは他のタイプのセル、またはそれらの様々な組合せのための通信カバレージを提供し得る。いくつかの例では、基地局105は可動であってよく、したがって、移動する地理的カバレージエリア110に通信カバレージを提供し得る。いくつかの例では、異なる技術に関連する異なる地理的カバレージエリア110がオーバーラップすることがあり、異なる技術に関連しオーバーラップする地理的カバレージエリア110は、同じ基地局105によって、または異なる基地局105によって、サポートされてよい。ワイヤレス通信システム100は、たとえば、異なるタイプの基地局105が様々な地理的カバレージエリア110にカバレージを提供する異種LTE/LTE-A/LTE-A ProネットワークまたはNRネットワークを含んでよい。
【００４９】
「セル」という用語は、(たとえば、キャリアを介した)基地局105との通信のために使用される論理通信エンティティを指し、同じかまたは異なるキャリアを介して動作する隣接セルを区別するための識別子(たとえば、物理セル識別子(PCID)、仮想セル識別子(VCID))に関連付けられ得る。いくつかの例では、キャリアは複数のセルをサポートしてよく、異なるセルは、異なるタイプのデバイスにアクセスを提供し得る異なるプロトコルタイプ(たとえば、マシンタイプ通信(MTC)、狭帯域モノのインターネット(NB-IoT)、拡張モバイルブロードバンド(eMBB)、または他のもの)に従って構成され得る。場合によっては、「セル」という用語は、論理エンティティがその上で動作する地理的カバレージエリア110(たとえば、セクタ)の一部分を指すことがある。
【００５０】
UE115は、ワイヤレス通信システム100全体にわたって分散されてよく、各UE115は、固定またはモバイルであってよい。UE115は、モバイルデバイス、ワイヤレスデバイス、リモートデバイス、ハンドヘルドデバイス、もしくは加入者デバイス、または何らかの他の好適な用語で呼ばれることもあり、ここで、「デバイス」は、ユニット、局、端末、またはクライアントと呼ばれることもある。UE115はまた、セルラーフォン、携帯情報端末(PDA)、タブレットコンピュータ、ラップトップコンピュータ、またはパーソナルコンピュータなどの、個人用電子デバイスであってよい。いくつかの例では、UE115は、ワイヤレスローカルループ(WLL)局、モノのインターネット(IoT)デバイス、インターネットオブエブリシング(IoE:Internet of Everything)デバイス、またはMTCデバイスなどを指すこともあり、これらは、家電機器、車両、メーターなどの様々な物品において実装され得る。
【００５１】
MTCデバイスまたはIoTデバイスなどのいくつかのUE115は、低コストまたは低複雑度のデバイスであってよく、機械間の自動化された通信を(たとえば、マシンツーマシン(M2M)通信を介して)実現し得る。M2M通信またはMTCは、人間が介在することなく、デバイスが互いにまたは基地局105と通信することを可能にするデータ通信技術を指すことがある。いくつかの例では、M2M通信またはMTCは、センサーまたはメーターを組み込んで情報を測定または捕捉し、その情報を利用できる中央サーバもしくはアプリケーションプログラムにその情報を中継するか、またはプログラムもしくはアプリケーションと対話する人間にその情報を提示する、デバイスからの通信を含んでよい。いくつかのUE115は、情報を収集するか、または機械の自動化された挙動を可能にするように設計され得る。MTCデバイスに対する適用の例は、スマートメータリング、インベントリ監視、水位監視、機器監視、ヘルスケア監視、野生生物監視、天候および地質学的事象監視、フリート管理および追跡、リモートセキュリティ感知、物理アクセス制御、ならびにトランザクションベースのビジネス課金を含む。
【００５２】
いくつかのUE115は、半二重通信などの、電力消費を低減する動作モード(たとえば、送信または受信を介した単方向通信をサポートするが、送信および受信を同時にはサポートしないモード)を採用するように構成され得る。いくつかの例では、半二重通信は、低減されたピークレートで実行され得る。UE115のための他の電力節約技法は、アクティブな通信に関与していないとき、省電力「ディープスリープ」モードに入ること、または限定された帯域幅を介して(たとえば、狭帯域通信に従って)動作することを含む。場合によっては、UE115は、クリティカルな機能(たとえば、ミッションクリティカルな機能)をサポートするように設計されてよく、ワイヤレス通信システム100は、これらの機能のために超高信頼通信を提供するように構成され得る。
【００５３】
場合によっては、UE115はまた、(たとえば、ピアツーピア(P2P)プロトコルまたはデバイス間(D2D)プロトコルを使用して)他のUE115と直接通信できる場合がある。D2D通信を利用するUE115のグループのうちの1つまたは複数は、基地局105の地理的カバレージエリア110内にあってよい。そのようなグループの中の他のUE115は、基地局105の地理的カバレージエリア110の外側にあってよく、または場合によっては基地局105からの送信を受信できないことがある。場合によっては、D2D通信を介して通信するUE115のグループは、各UE115がグループの中のすべての他のUE115へ送信する1対多(1:M)システムを利用し得る。場合によっては、基地局105が、D2D通信のためのリソースのスケジューリングを容易にする。他の場合には、D2D通信は、基地局105の関与なしにUE115の間で実行される。
【００５４】
基地局105は、コアネットワーク130と、かつ互いに通信し得る。たとえば、基地局105は、バックホールリンク132を通じて(たとえば、S1または他のインターフェースを介して)コアネットワーク130とインターフェースし得る。基地局105は、バックホールリンク134を介して(たとえば、X2または他のインターフェースを介して)、直接(たとえば、基地局105の間で直接)または間接的に(たとえば、コアネットワーク130を介して)のいずれかで互いに通信し得る。
【００５５】
コアネットワーク130は、ユーザ認証、アクセス許可、トラッキング、インターネットプロトコル(IP)接続性、および他のアクセス機能、ルーティング機能、またはモビリティ機能を提供し得る。コアネットワーク130は、発展型パケットコア(EPC)であってよく、発展型パケットコアは、少なくとも1つのモビリティ管理エンティティ(MME)、少なくとも1つのサービングゲートウェイ(S-GW)、および少なくとも1つのパケットデータネットワーク(PDN)ゲートウェイ(P-GW)を含んでよい。MMEは、EPCに関連する基地局105によってサービスされるUE115に対するモビリティ管理、認証管理、およびベアラ管理などの、非アクセス層(たとえば、制御プレーン)機能を管理し得る。ユーザIPパケットは、それ自体がP-GWに接続され得るS-GWを通じて転送され得る。P-GWは、IPアドレス割振りならびに他の機能を提供し得る。P-GWは、ネットワーク事業者IPサービスに接続され得る。事業者IPサービスは、インターネット、イントラネット、IPマルチメディアサブシステム(IMS)、またはパケット交換(PS)ストリーミングサービスへのアクセスを含んでよい。
【００５６】
基地局105などのネットワークデバイスのうちの少なくともいくつかは、アクセスネットワークエンティティなどの下位構成要素を含んでよく、アクセスネットワークエンティティは、アクセスノードコントローラ(ANC)の一例であってよい。各アクセスネットワークエンティティは、ラジオヘッド、スマートラジオヘッド、または送信/受信ポイント(TRP)と呼ばれることがある、いくつかの他のアクセスネットワーク送信エンティティを通じてUE115と通信し得る。いくつかの構成では、各アクセスネットワークエンティティまたは基地局105の様々な機能は、様々なネットワークデバイス(たとえば、ラジオヘッドおよびアクセスネットワークコントローラ)にわたって分散されてよく、または単一のネットワークデバイス(たとえば、基地局105)の中に統合されてもよい。
【００５７】
ワイヤレス通信システム100は、通常は300MHz〜300GHzの範囲の中の、1つまたは複数の周波数帯域を使用して動作し得る。一般に、300MHzから3GHzまでの領域は、波長がほぼ1デシメートルから1メートルまでの長さに及ぶので、極超短波(UHF)領域またはデシメートル帯域と呼ばれる。UHF波は、建物および環境特性によって遮断または方向変換されることがある。しかしながら、その波は、屋内に位置するUE115にマクロセルがサービスを提供するのに十分に構造物を貫通し得る。UHF波の送信は、300MHzを下回るスペクトルの短波(HF)または超短波(VHF)部分のより低い周波数およびより長い波を使用する送信と比較して、より小型のアンテナおよびより短い距離(たとえば、100km未満)に関連し得る。
【００５８】
ワイヤレス通信システム100はまた、センチメートル帯域とも呼ばれる3GHzから30GHzまでの周波数帯域を使用する超高周波(SHF)領域の中で動作し得る。SHF領域は、他のユーザからの干渉を許容できるデバイスによって機会主義的に使用され得る、5GHz産業科学医療(ISM)バンドなどの帯域を含む。
【００５９】
ワイヤレス通信システム100はまた、ミリメートル帯域とも呼ばれる(たとえば、30GHzから300GHzまでの)スペクトルの極高周波(EHF)領域の中で動作し得る。いくつかの例では、ワイヤレス通信システム100は、UE115と基地局105との間のミリ波(mmW)通信をサポートし得、それぞれのデバイスのEHFアンテナは、UHFアンテナよりもさらに小さく間隔がより密であってよい。場合によっては、このことはUE115内でのアンテナアレイの使用を容易にし得る。しかしながら、EHF送信の伝搬は、SHF送信またはUHF送信よりもさらに大きい大気減衰および短い距離を条件とし得る。本明細書で開示する技法は、1つまたは複数の異なる周波数領域を使用する送信にわたって採用されてよく、これらの周波数領域にわたる帯域の指定された使用は、国または規制団体によって異なることがある。
【００６０】
場合によっては、ワイヤレス通信システム100は、認可無線周波数スペクトル帯域と無認可無線周波数スペクトル帯域の両方を利用し得る。たとえば、ワイヤレス通信システム100は、5GHz ISMバンドなどの無認可帯域において、認可支援型アクセス(LAA:License Assisted Access)、LTE無認可(LTE-U:LTE Unlicensed)無線アクセス技術、またはNR技術を採用し得る。無認可無線周波数スペクトル帯域の中で動作するとき、基地局105およびUE115などのワイヤレスデバイスは、データを送信する前に周波数チャネルがクリアであることを保証するために、リッスンビフォアトーク(LBT)プロシージャを採用し得る。場合によっては、無認可帯域の中での動作は、認可帯域の中で動作するCCと連携したCA構成に基づいてよい(たとえば、LAA)。無認可スペクトルの中での動作は、ダウンリンク送信、アップリンク送信、ピアツーピア送信、またはこれらの組合せを含んでよい。無認可スペクトルの中での複信は、周波数分割複信(FDD)、時分割複信(TDD)、またはその両方の組合せに基づいてよい。
【００６１】
いくつかの例では、基地局105またはUE115は、複数のアンテナが装備されてよく、そうしたアンテナは、送信ダイバーシティ、受信ダイバーシティ、多入力多出力(MIMO)通信、またはビームフォーミングなどの技法を採用するために使用され得る。たとえば、ワイヤレス通信システム100は、送信デバイス(たとえば、基地局105)と受信デバイス(たとえば、UE115)との間で、送信デバイスに複数のアンテナが装備され受信デバイスに1つまたは複数のアンテナが装備される送信方式を使用してよい。MIMO通信は、異なる空間レイヤを介して複数の信号を送信または受信することによってスペクトル効率を高めるためにマルチパス信号伝搬を採用してよく、これは空間多重化と呼ばれることがある。複数の信号は、たとえば、異なるアンテナまたはアンテナの異なる組合せを介して送信デバイスによって送信され得る。同様に、複数の信号は、異なるアンテナまたはアンテナの異なる組合せを介して受信デバイスによって受信され得る。複数の信号の各々は、別個の空間ストリームと呼ばれることがあり、同じデータストリーム(たとえば、同じコードワード)または異なるデータストリームに関連するビットを搬送し得る。異なる空間レイヤは、チャネル測定および報告のために使用される異なるアンテナポートに関連付けられ得る。MIMO技法は、複数の空間レイヤが同じ受信デバイスへ送信されるシングルユーザMIMO(SU-MIMO)、および複数の空間レイヤが複数のデバイスへ送信されるマルチユーザMIMO(MU-MIMO)を含む。
【００６２】
空間フィルタ処理、指向性送信、または指向性受信と呼ばれることもあるビームフォーミングは、送信デバイスと受信デバイスとの間の空間経路に沿ってアンテナビーム(たとえば、送信ビームまたは受信ビーム)を成形またはステアリングするために、送信デバイスまたは受信デバイス(たとえば、基地局105またはUE115)において使用され得る信号処理技法である。アンテナアレイに対して特定の配向で伝搬する信号が、強め合う干渉を受け、他の信号が、弱め合う干渉を受けるように、アンテナアレイのアンテナ素子を介して通信される信号を合成することによって、ビームフォーミングが達成され得る。アンテナ素子を介して通信される信号の調整は、送信デバイスまたは受信デバイスが、デバイスに関連するアンテナ素子の各々を介して搬送される信号にいくらかの振幅および位相オフセットを適用することを含んでよい。アンテナ素子の各々に関連する調整は、(たとえば、送信デバイスもしくは受信デバイスのアンテナアレイに対する、または何らかの他の配向に対する)特定の配向に関連するビームフォーミング重みセットによって規定され得る。
【００６３】
一例では、基地局105は、UE115との指向性通信のためのビームフォーミング動作を導くために、複数のアンテナまたはアンテナアレイを使用し得る。たとえば、いくつかの信号(たとえば、同期信号、基準信号、ビーム選択信号、または他の制御信号)は、異なる方向で基地局105によって複数回送信されてよく、送信の異なる方向に関連する異なるビームフォーミング重みセットに従って送信されている信号を含んでよい。異なるビーム方向での送信は、基地局105による後続の送信および/または受信のためのビーム方向を(たとえば、基地局105、またはUE115などの受信デバイスによって)識別するために使用され得る。特定の受信デバイスに関連するデータ信号などのいくつかの信号は、基地局105によって単一のビーム方向(たとえば、UE115などの受信デバイスに関連する方向)で送信され得る。いくつかの例では、単一のビーム方向に沿った送信に関連するビーム方向は、異なるビーム方向で送信された信号に基づいて決定され得る。たとえば、UE115は、基地局105によって異なる方向で送信された信号のうちの1つまたは複数を受信し得、UE115は、UE115が最高の信号品質またはさもなければ許容可能な信号品質で受信した信号の表示を、基地局105に報告してよい。これらの技法は、基地局105によって1つまたは複数の方向で送信される信号を参照しながら説明されるが、UE115は、(たとえば、UE115による後続の送信または受信のためのビーム方向を識別するために)信号を異なる方向で複数回送信するか、または(たとえば、データを受信デバイスへ送信するために)信号を単一の方向で送信するために、同様の技法を採用し得る。
【００６４】
受信デバイス(たとえば、mmW受信デバイスの一例であってよいUE115)は、同期信号、基準信号、ビーム選択信号、または他の制御信号などの様々な信号を基地局105から受信するとき、複数の受信ビームを試みてよい。たとえば、受信デバイスは、異なるアンテナサブアレイを介して受信することによって、異なるアンテナサブアレイに従って受信信号を処理することによって、アンテナアレイのアンテナ素子のセットにおいて受信された信号に適用された異なる受信ビームフォーミング重みセットに従って受信することによって、またはアンテナアレイのアンテナ素子のセットにおいて受信された信号に適用された異なる受信ビームフォーミング重みセットに従って受信信号を処理することによって、複数の受信方向を試みてよく、それらのいずれもが、異なる受信ビームまたは受信方向による「リスニング」と呼ばれることがある。いくつかの例では、受信デバイスは、(たとえば、データ信号を受信するとき)単一のビーム方向に沿って受信するために単一の受信ビームを使用し得る。単一の受信ビームは、異なる受信ビーム方向によるリスニングに基づいて決定されたビーム方向(たとえば、複数のビーム方向によるリスニングに基づいて、最大信号強度、最大信号対雑音比、またはさもなければ許容可能な信号品質を有すると決定されたビーム方向)に位置合わせされてよい。
【００６５】
場合によっては、基地局105またはUE115のアンテナは、MIMO動作または送信ビームフォーミングもしくは受信ビームフォーミングをサポートし得る、1つまたは複数のアンテナアレイ内に配置されてよい。たとえば、1つまたは複数の基地局アンテナまたはアンテナアレイは、アンテナタワーなどのアンテナアセンブリにおいて一緒に置かれてよい。場合によっては、基地局105に関連するアンテナまたはアンテナアレイは、多様な地理的ロケーションに配置され得る。基地局105は、基地局105がUE115との通信のビームフォーミングをサポートするために使用し得るアンテナポートのいくつかの行および列を伴うアンテナアレイを有してよい。同様に、UE115は、様々なMIMO動作またはビームフォーミング動作をサポートし得る1つまたは複数のアンテナアレイを有してよい。
【００６６】
場合によっては、ワイヤレス通信システム100は、階層化プロトコルスタックに従って動作するパケットベースのネットワークであってよい。ユーザプレーンでは、ベアラまたはパケットデータコンバージェンスプロトコル(PDCP)レイヤにおける通信は、IPベースであってよい。無線リンク制御(RLC)レイヤは、場合によっては、論理チャネルを介して通信するために、パケットセグメント化および再アセンブリを実行し得る。MACレイヤは、優先処理、およびトランスポートチャネルへの論理チャネルの多重化を実行し得る。MACレイヤはまた、MACレイヤにおける再送信を行ってリンク効率を改善するために、ハイブリッド自動再送要求(HARQ)を使用し得る。制御プレーンでは、RRCプロトコルレイヤが、ユーザプレーンデータのための無線ベアラをサポートする、UE115と基地局105またはコアネットワーク130との間のRRC接続の確立、構成、および保守を行ってよい。物理(PHY)レイヤにおいて、トランスポートチャネルが物理チャネルにマッピングされ得る。
【００６７】
場合によっては、UE115および基地局105は、データが首尾よく受信される可能性を高めるために、データの再送信をサポートし得る。HARQフィードバックは、データが通信リンク125を介して正しく受信される可能性を高める1つの技法である。HARQは、(たとえば、巡回冗長検査(CRC)を使用する)誤り検出、前方誤り訂正(FEC)、および再送信(たとえば、自動再送要求(ARQ))の組合せを含んでよい。HARQは、劣悪な無線条件(たとえば、信号対雑音条件)の中でのMACレイヤにおけるスループットを改善し得る。場合によっては、ワイヤレスデバイスは、デバイスが特定のスロットの中で以前のシンボルにおいて受信されたデータに対してそのスロットの中でHARQフィードバックを提供し得る、同一スロットHARQフィードバックをサポートし得る。他の場合には、デバイスは、後続のスロットの中で、またはいくつかの他の時間区間に従って、HARQフィードバックを提供し得る。
【００６８】
LTEまたはNRにおける時間区間は、たとえば、Ts=1/30,720,000秒のサンプリング期間を指すことがある基本時間単位の倍数で表されてよい。通信リソースの時間区間は、10ミリ秒(ms)の持続時間を各々が有する無線フレームに従って編成されてよく、ここで、フレーム期間は、Tf=307,200Tsとして表されてよい。無線フレームは、0から1023までに及ぶシステムフレーム番号(SFN)によって識別され得る。各フレームは、0から9までの番号が付けられた10個のサブフレームを含んでよく、各サブフレームは、1msの持続時間を有してよい。サブフレームは、0.5msの持続時間を各々が有する2つのスロットにさらに分割されてよく、各スロットは、(たとえば、各シンボル期間にプリペンドされたサイクリックプレフィックスの長さに応じて)6つまたは7つの変調シンボル期間を含んでよい。サイクリックプレフィックスを除くと、各シンボル期間は2048個のサンプリング期間を含んでよい。場合によっては、サブフレームは、ワイヤレス通信システム100の最小スケジューリング単位であってよく、送信時間区間(TTI)と呼ばれることがある。他の場合には、ワイヤレス通信システム100の最小スケジューリング単位は、サブフレームよりも短くてよく、または(たとえば、短縮TTI(sTTI)のバーストの中で、またはsTTIを使用する選択されたコンポーネントキャリア(CC)の中で)動的に選択されてもよい。
【００６９】
いくつかのワイヤレス通信システムでは、スロットは、1つまたは複数のシンボルを含む複数のミニスロットにさらに分割され得る。いくつかの事例では、ミニスロットのシンボルまたはミニスロットは、スケジューリングの最小単位であってよい。各シンボルは、たとえば、動作のサブキャリア間隔または周波数帯域に応じて持続時間が変わることがある。さらに、いくつかのワイヤレス通信システムは、複数のスロットまたはミニスロットが一緒にアグリゲートされ、かつUE115と基地局105との間の通信のために使用される、スロットアグリゲーションを実施し得る。
【００７０】
「キャリア」という用語は、通信リンク125を介した通信をサポートするための規定された物理レイヤ構造を有する無線周波数スペクトルリソースのセットを指す。たとえば、通信リンク125のキャリアは、所与の無線アクセス技術のための物理レイヤチャネルに従って動作させられる無線周波数スペクトル帯域の一部分を含んでよい。各物理レイヤチャネルは、ユーザデータ、制御情報、または他のシグナリングを搬送し得る。キャリアは、事前定義された周波数チャネル(たとえば、発展型ユニバーサル地上波無線アクセス(E-UTRA)絶対無線周波数チャネル番号(EARFCN))に関連付けられてよく、UE115による発見用のチャネルラスタに従って配置され得る。キャリアは、(たとえば、FDDモードでは)ダウンリンクもしくはアップリンクであってよく、または(たとえば、TDDモードでは)ダウンリンク通信およびアップリンク通信を搬送するように構成され得る。いくつかの例では、キャリアを介して送信される信号波形は、(たとえば、直交周波数分割多重化(OFDM)または離散フーリエ変換拡散OFDM(DFT-s-OFDM)などのマルチキャリア変調(MCM)技法を使用して)複数のサブキャリアから構成され得る。
【００７１】
キャリアの組織構造は、異なる無線アクセス技術(たとえば、LTE、LTE-A、LTE-A Pro、NRなど)に対して異なってよい。たとえば、キャリアを介した通信は、TTIまたはスロットに従って編成されてよく、それらの各々は、ユーザデータ、ならびにユーザデータの復号をサポートするための制御情報またはシグナリングを含んでよい。キャリアはまた、専用の捕捉シグナリング(たとえば、同期信号またはシステム情報など)、およびキャリアに対する動作を協調させる制御シグナリングを含んでよい。いくつかの例では(たとえば、キャリアアグリゲーション(CA)構成では)、キャリアはまた、他のキャリアに対する動作を協調させる捕捉シグナリングまたは制御シグナリングを有してよい。
【００７２】
物理チャネルは、様々な技法に従ってキャリア上で多重化され得る。物理制御チャネルおよび物理データチャネルは、たとえば、時分割多重化(TDM)技法、周波数分割多重化(FDM)技法、またはハイブリッドTDM-FDM技法を使用して、ダウンリンクキャリア上で多重化され得る。いくつかの例では、物理制御チャネルの中で送信される制御情報は、カスケード方式で異なる制御領域の間で(たとえば、共通制御領域または共通探索空間と1つまたは複数のUE固有制御領域またはUE固有探索空間との間で)分散され得る。
【００７３】
キャリアは、無線周波数スペクトルの特定の帯域幅に関連してよく、いくつかの例では、キャリア帯域幅は、キャリアまたはワイヤレス通信システム100の「システム帯域幅」と呼ばれることがある。たとえば、キャリア帯域幅は、特定の無線アクセス技術のキャリアのためのいくつかの所定の帯域幅(たとえば、1.4、3、5、10、15、20、40、または80MHz)のうちの1つであってよい。いくつかの例では、サービスされる各UE115は、キャリア帯域幅の部分またはすべてにわたって動作するために構成され得る。他の例では、一部のUE115は、キャリア内の事前定義された部分または範囲(たとえば、サブキャリアまたはリソースブロック(RB)のセット)に関連する狭帯域プロトコルタイプを使用する動作のために構成され得る(たとえば、狭帯域プロトコルタイプの「帯域内」展開)。
【００７４】
MCM技法を採用するシステムでは、リソース要素は、1つのシンボル期間(たとえば、1つの変調シンボルの持続時間)および1つのサブキャリアからなってよく、ここで、シンボル期間およびサブキャリア間隔は反比例の関係にある。各リソース要素によって搬送されるビット数は、変調方式(たとえば、変調方式の次数)に依存し得る。したがって、UE115が受信するリソース要素が多ければ多いほど、また変調方式の次数が高ければ高いほど、UE115にとってデータレートは高くなり得る。MIMOシステムでは、ワイヤレス通信リソースは、無線周波数スペクトルリソース、時間リソース、および空間リソース(たとえば、空間レイヤ)の組合せを指すことがあり、複数の空間レイヤの使用は、UE115との通信のためのデータレートをさらに高め得る。
【００７５】
ワイヤレス通信システム100のデバイス(たとえば、基地局105またはUE115)は、特定のキャリア帯域幅を介した通信をサポートするハードウェア構成を有してよく、またはキャリア帯域幅のセットのうちの1つを介した通信をサポートするように構成可能であってもよい。いくつかの例では、ワイヤレス通信システム100は、2つ以上の異なるキャリア帯域幅に関連するキャリアを介した同時通信をサポートできる基地局105および/またはUEを含んでよい。
【００７６】
ワイヤレス通信システム100は、複数のセルまたはキャリア上でのUE115との通信、すなわち、CAまたはマルチキャリア動作と呼ばれることがある機能をサポートし得る。UE115は、キャリアアグリゲーション構成に従って、複数のダウンリンクCCおよび1つまたは複数のアップリンクCCを用いて構成され得る。CAは、FDD CCとTDD CCの両方を用いて使用され得る。
【００７７】
場合によっては、ワイヤレス通信システム100は、拡張コンポーネントキャリア(eCC)を利用し得る。eCCは、より広いキャリアまたは周波数チャネル帯域幅、より短いシンボル持続時間、より短いTTI持続時間、または修正された制御チャネル構成を含む、1つまたは複数の機能によって特徴づけられ得る。場合によっては、eCCは、(たとえば、複数のサービングセルが準最適または非理想的なバックホールリンクを有するとき)CA構成またはデュアル接続性構成に関連し得る。eCCはまた、(たとえば、2つ以上の事業者が、スペクトルを使用することを許可される場合)無認可スペクトルまたは共有スペクトルの中で使用するために構成され得る。広いキャリア帯域幅によって特徴づけられるeCCは、全キャリア帯域幅を監視することが可能ではないかまたはさもなければ(たとえば、電力を節約するために)限定されたキャリア帯域幅を使用するように構成されるUE115によって利用され得る、1つまたは複数のセグメントを含んでよい。
【００７８】
場合によっては、eCCは、他のCCのシンボル持続時間と比較して短縮されたシンボル持続時間の使用を含んでよい、他のCCとは異なるシンボル持続時間を利用し得る。より短いシンボル持続時間は、隣接サブキャリア間の間隔の増大に関連し得る。eCCを利用するUE115または基地局105などのデバイスは、短縮されたシンボル持続時間(たとえば、16.67マイクロ秒)で、(たとえば、20、40、60、80MHzなどの周波数チャネルまたはキャリア帯域幅に従って)広帯域信号を送信し得る。eCCにおけるTTIは、1つまたは複数のシンボル期間からなり得る。場合によっては、TTI持続時間(すなわち、TTIの中のシンボル期間の数)は可変であってよい。
【００７９】
NRシステムなどのワイヤレス通信システムは、特に、認可スペクトル帯域、共有スペクトル帯域、および無認可スペクトル帯域の任意の組合せを利用し得る。eCCシンボル持続時間およびサブキャリア間隔のフレキシビリティにより、複数のスペクトルにわたってeCCの使用が可能になり得る。いくつかの例では、NR共有スペクトルは、特にリソースの動的な(たとえば、周波数にわたる)垂直共有および(たとえば、時間にわたる)水平共有を通じて、スペクトル利用およびスペクトル効率を高め得る。
【００８０】
いくつかのワイヤレス通信システムでは、UE115は、ワイヤレスネットワークへのアクセスを得るために、基地局105とのRACHプロシージャを実行し得る。このRACHプロシージャは、RACH Msg1、Msg2、Msg3、およびMsg4送信を含む、UE115と基地局105との間でのいくつかのメッセージの通信を含んでよい。UE115は、RACHプロシージャを開始するためにRACH Msg1(たとえば、RACHプリアンブル送信)を基地局105へ送信してよい。場合によっては、UE115は、基地局105からSSBのセットを受信し得、RACH Msg1送信のために利用すべきSSBのうちの1つを選択し得る。基地局105は、RACH Msg2(たとえば、RARウィンドウ内のRARメッセージ)を用いてRACH Msg1に応答してよい。UE115は、次いで、RACH Msg3(たとえば、RRC接続要求)を送信してよく、それに応答して基地局105からRACH Msg4(たとえば、競合解決のためのMAC CE)を受信し得る。これらのメッセージの各々のスケジューリングは、基地局105からUE115へのPDCCHシグナリングに基づいてよい。効率的な再送信能力をサポートしながらPDCCHシグナリングを受信するために、UE115は、対応するPDCCH送信を求めて監視すべきRACH Msg2/3/4探索空間を識別し得る。
【００８１】
たとえば、UE115は、基地局105によって実行されるSSB送信のセットを識別し得る。場合によっては、UE115は、基地局105からのRMSIシグナリングに基づいてSSBのこのセットを決定してよい。UE115は、RACHプロシージャ用の選択されたSSBとQCLされていないSSBのセットのSSBを識別してよく、これらの非QCL SSB送信のために基地局105によって使用される時間リソースを決定してよい。UE115は、これらの非QCL SSB用の時間リソースとオーバーラップしない探索空間(たとえば、デフォルトまたは構成済みのMsg2/3/4探索空間)を識別し得る。
【００８２】
第1の例では、UE115は、PBCH送信を介して構成されるRMSI探索空間を決定してよく、非QCL SSB用の時間リソースと時間的に競合する任意のリソースを除去することによってRMSI探索空間を修正してよい。UE115は、修正済みのRMSI探索空間の監視機会を使用して、応答ウィンドウ(たとえば、RARウィンドウ)内に含まれるMsg2/3/4探索空間を識別し得る。第2の例では、UE115は、非QCL SSB用の時間リソースとオーバーラップしない有効なRMSI探索空間をMsg2/3/4探索空間として使用してよく、ここで、有効なRMSI探索空間は、PBCHの中でシグナリングされなくてよい。第3の例では、UE115は、基地局105からMsg2/3/4探索空間構成を受信してよい。この構成は、低減された構成シグナリングオーバーヘッドのために、-スロットごとの特定のシンボル割振りではなく-時間範囲およびその時間範囲にわたるシンボル割振りを含んでよい。識別されたMsg2/3/4探索空間は、示される時間範囲およびシンボル割振りに基づいてよいが、非QCL SSB用の時間リソースとオーバーラップする構成からリソースを除去し得る。本明細書で説明する例のうちのいずれにおいても、UE115は、基地局105から非QCL SSBを受信するための能力を維持しながら、PDCCH送信を受信すべき識別済みの探索空間を監視し得る。これらの非QCL SSBを受信することは、RACHプロシージャの間のUE115によるRACHメッセージ再送信のレイテンシを低減し得るとともにその信頼性を改善し得る。
【００８３】
図2は、本開示の態様によるRACHメッセージ応答のための探索空間構成をサポートするワイヤレス通信システム200の一例を示す。ワイヤレス通信システム200は、図1を参照しながら説明したような基地局105およびUE115の例であってよい基地局105-aおよびUE115-aを含んでよい。基地局105-aは、地理的カバレージエリア110-aにネットワークカバレージを提供し得る。図示したように、UE115-aは、ネットワークへのアクセスを得るために、RACHプロシージャを実行し得る。RACHプロシージャは、UE115-aがデフォルトまたは構成済みの探索空間の中でダウンリンクRACHメッセージングを受信することを伴ってよい。
【００８４】
たとえば、基地局105-aは、(たとえば、ビーム掃引プロシージャの中で)異なる送信ビーム205上でSSB210のセットを周期的または非周期的に送信してよい。これらの異なるSSB210は、基地局105-aにおいてQCLアンテナまたは非QCLアンテナによって送信され得る。UE115-aがネットワークにアクセスするために、UE115-aは基地局105-aによって送信されるSSB210を求めて監視してよい。場合によっては、UE115-aは、異なる受信ビーム215上で基地局105-aからの複数のSSB210を検出および復号することがある。たとえば、基地局105-aは、送信ビーム205-a上でSSB210-aを、かつ送信ビーム205-b上でSSB210-bを送信することがあり、UE115-aは、それぞれ、受信ビーム215-a上および受信ビーム215-b上でSSB210を受信することがある。UE115-aは、(たとえば、SSB210に関連する受信電力またはチャネル品質に基づいて)これらのSSB210のうちの1つを選択してよく、選択されたSSB210の中の情報に基づいてRACHプロシージャを実行してよい。たとえば、UE115-aは、SSB210-aを選択してよく、SSB210-aの中の情報またはパラメータに基づいてRACHメッセージ220を送信してよい。このRACHメッセージ220は、RACH Msg1またはRACH Msg3の一例であってよい。
【００８５】
UE115-aは、PDCCH信号を求めて監視してよい。この信号は、PDCCH許可などの、RACH Msg2、RACH Msg3、またはRACH Msg4(RACH Msg2/3/4)のPDCCH構成要素であってよい。たとえば、PDCCH信号は、RACHメッセージ220への応答であってよい。RACH Msg2/3/4を処理するために、UE115-aは、RACH Msg2/3/4に対応するスケジューリング割当てまたはスケジューリング許可を求めて探索空間を監視してよい。探索空間は、特定のアグリゲーションレベルで制御チャネル要素(CCE)によって形成された、キャリアチャネルのセットを含んでよい。場合によっては、UE115-aは、同じかまたは異なるアグリゲーションレベルにおいて複数の探索空間を監視してよい。UE115-aは、UE115-aのための探索空間内のCCEによって形成された任意のPDCCHを復号(たとえば、ブラインド復号)することを試みてよい。復号されたPDCCHがパリティ検査(たとえば、CRC)をパスする場合、UE115-aはPDCCHの内容を処理してよい。この情報を処理することにより、UE115-aがRACHメッセージ2、3、または4などのいくつかのRACHメッセージを正しく送信または受信することが可能になり得る。
【００８６】
場合によっては、UE115-aは、(たとえば、PBCH送信またはSSB210を介して)探索空間の構成を受信し得る。この構成は、探索空間に対するシンボルインデックス、スロットなどを指定し得るか、探索空間に対する時間範囲を指定し得るか、または特定の探索空間を指定し得る(たとえば、Type1-PDCCH共通探索空間に対するランダムアクセス探索空間上位レイヤパラメータを用いて)。他の場合には、UE115-aは、探索空間に対する構成を受信しないことがある。これらの場合、UE115-aは、PDCCH情報を受信するために利用すべきデフォルト探索空間を識別し得る。場合によっては、このデフォルト探索空間は、RMSI探索空間(たとえば、Type0-PDCCH共通探索空間)に基づいてよい。たとえば、デフォルト探索空間は、監視機会とRMSI探索空間を有するSSB210またはPBCH送信との間の関連付けを共有し得る。このデフォルトのMsg2/3/4探索空間は、RACHメッセージ220用の応答ウィンドウ(たとえば、RARウィンドウ)に基づいてよい。
【００８７】
しかしながら、デフォルトのMsg2/3/4探索空間に対する構成済みのRMSI探索空間を単に使用することは、タイミング問題をもたらすことがある。たとえば、UE115-aは、特定のRMSI周期性(たとえば、RMSI探索空間に対する制御リソースセット(CORESET)がSSB210とTDMされる場合、20ms)を利用してよい。しかしながら、UE115-aは、RMSI周期性よりも短くてよい異なる長さまたは最大長(たとえば、10ms)のRARウィンドウを実施してよい。いくつかの場合において、(たとえば、ウィンドウよりも長い、反復RMSI探索空間の間の反復に基づいて)RARウィンドウ内にRMSI探索空間が配置されないことがある。したがって、UE115-aは、RMSI探索空間に基づいて応答を求めて監視する前のRARウィンドウの完了に基づいて、RACHメッセージ220を再送信すべきと決定してよい(たとえば、RAR探索空間がRMSI探索空間に直接対応する場合、RARウィンドウ内にRAR探索空間が存在しないことがある)。追加として、場合によっては、UE115-aは、PDCCH送信用の探索空間を監視するためにUE115-aによって使用されるシンボルの中で、基地局105-aによって送信されるSSB210をトラッキングできないことがある。
【００８８】
探索空間タイミングをより良好に処理するために、探索空間は実際に送信されるSSB210に基づいてよい。たとえば、基地局105は、いくつかのSSB210(たとえば、合計64個のSSB210)をサポートし得る。SSB210のこのグループの各SSB210は、QCLされてもされなくてもよく、UE115-aは、(たとえば、この想定が技術的に正しいか否かにかかわらず)SSB210がQCLされていないかのようにSSB210を扱ってよい。SSB210のこのグループの各SSB210は、特定の送信方向に対応し得る。場合によっては、基地局105-aは、基地局105-aの構成または展開に基づいて、SSB210のこのグループのサブセットを使用してよく、他のSSB210を使用しなくてよい。基地局105-aは、(たとえば、各SSBインデックスが、実際に送信されるSSB210、およびそのSSB210に対する送信時間に対応する、SSBインデックスを使用して)基地局105-aがRMSIの中で実際に送信するSSB210を示してよい。UE115-aは、選択されたSSB210とQCLされていない、基地局105-aによる実際のSSB210送信のために使用される時間リソースのセットを識別し得る。UE115-aのための(たとえば、構成済みまたはデフォルトの)探索空間は、時間リソースのこの識別済みのセットにオーバーラップすることを回避し得る。
【００８９】
第1の例では、探索空間からリソースが除去されてMsg2/3/4探索空間をもたらし得る。たとえば、構成済みの探索空間の場合、UE115-aは、時間リソース(たとえば、選択されたSSB210送信とQCLされていない実際のSSB210送信のために使用される時間リソース)の識別済みのセットと時間的にオーバーラップする構成済みの探索空間から、任意のリソースを除去してよい。デフォルト探索空間の場合、UE115-aは、(たとえば、SSB210またはPBCH送信の中で示される)RMSI探索空間を識別し得る。UE115-aは、Msg2/3/4探索空間に対するRMSI探索空間のシンボルロケーションを使用してよいが、時間リソースの識別済みのセットとオーバーラップする任意のシンボルロケーションを除去してよい。場合によっては、Msg2/3/4は、RMSI探索空間と同じシンボルロケーションを使用することがあるが、時間リソースの識別済みのセットを避けるために異なるスロットレベル周期性を使用してよい。たとえば、RARウィンドウの中に20個のスロットがあり、かつこれらのスロットのうちの4個が、探索空間のシンボルロケーションとオーバーラップするSSBシンボルロケーションを有する場合、Msg2/3/4探索空間は、これらの4個のスロットを除去し単に他の16個のスロットにわたるように修正されてよい。このようにして、Msg2/3/4探索空間のために使用される修正済みのRMSI探索空間は、非QCL SSB210とのタイミング競合を回避し得る。場合によっては、このデフォルト探索空間は、RACHメッセージ220送信の終了から始まって、RARウィンドウの持続時間にわたってよい。
【００９０】
第2の例では、時間リソースの識別済みのセットと時間的にオーバーラップしない有効なRMSI探索空間が、Msg2/3/4探索空間に対して使用され得る。場合によっては、UE115-aは、SSB210またはPBCH送信の中で示されるRMSI探索空間を決定してよく、RMSI探索空間がタイミングリソースの中で時間リソースの識別済みのセットとオーバーラップすることを識別し得る。UE115-aは、このタイミングリソース競合に基づいて、示されるRMSI探索空間とは異なるRMSI探索空間を選択してよい。他の場合には、UE115-aは、SSB210またはPBCH送信の中の示される探索空間にかかわらず、異なるRMSI探索空間を自動的に選択してよい。場合によっては、UE115-aは、タイミングリソースの中でのオーバーラップを回避するために、SSB210送信とTDMされるCORESETを有するRMSI探索空間を選択してよい。
【００９１】
本明細書で説明する例のうちのいずれにおいても、UE115-aは、説明する技法に基づいてMsg2/3/4探索空間を識別し得る。基地局105-aは、(たとえば、RACH Msg2/3/4用の)PDCCH送信のために使用すべきCCEリソースを決定するために、類似の技法を利用してよい。基地局105-aは、選択されたSSB210-aと同じ送信ビーム205-aを使用してPDCCH送信を送信してよく、UE115-aは、SSB210-aを受信した同じ受信ビーム215-aを使用してチャネルを監視してよい。UE115-aは、識別済みのMsg2/3/4探索空間の時間リソースの間、受信ビーム215-aを使用してPDCCH送信およびSSB210-aを求めて監視してよく、時間リソースの識別済みのセットの間、異なる受信ビーム(たとえば、受信ビーム215-b)を使用して非QCL SSB210(たとえば、SSB210-b)を求めて監視してよい。このようにして、単一の受信ビームをサポートするUE115は、RACHメッセージ220の再送信が必要とされる場合には、RACHプロシージャの間に非QCL SSB210をトラッキングし得る。たとえば、単一のアンテナパネルを有する任意のUE115は、このプロシージャを実施して受信ビームの間を切り替えてよい。
【００９２】
図3は、本開示の態様によるRACHメッセージ応答のための探索空間構成をサポートするシグナリングタイムライン300の一例を示す。シグナリングタイムライン300は、図1および図2を参照しながら説明したような、UE115におけるプロセスの概略のタイミングを示し得る。この概略のタイミングは、スロットまたはサブフレームなどの、1つまたは複数のTTI内のシンボルインデックスまたはシンボルロケーションに対応し得る。タイムライン300は、UE115におけるSSB310の受信、受信されたSSB310に対応するRACH機会315、およびデフォルト探索空間によるRACH Msg2 325送信の監視または受信を示し得る。これらの信号またはプロセスは、反復プロセスおよびRARウィンドウ320に基づいて、時間305において反復されてよい。シグナリングタイムライン300はRACH Msg2 325送信に関して説明されるが、RACH Msg3およびRACH Msg4送信を含むRACHメッセージングのうちのいずれかに対するPDCCHメッセージ(たとえば、許可)を受信するために、同じかまたは類似のプロセスが実行され得る。
【００９３】
いくつかの例では、UE115は、基地局105から複数のSSB310を受信することがある。これらのSSB310は、異なる時間において受信されることがあり、基地局105におけるQCLされていない異なるアンテナまたはビームから受信されることがある。これらのSSB310がQCLされていないことに基づいて、UE115は、第1の受信ビーム上で第1のSSB310-aを受信し得、第2の受信ビーム上で第2のSSB310-bを受信し得る。場合によっては、UE115は、複数の受信ビーム上でSSB310を受信することがあり、SSB310に関連付けるために受信ビームのうちの1つを(たとえば、受信ビームの最大基準信号受信電力(RSRP)に基づいて)選択してよい。追加または代替として、UE115は、第1の受信ビーム、第2の受信ビーム、追加の受信ビーム、またはそれらの何らかの組合せにおいて他のSSB310を受信することがある。UE115は、RACHプロシージャのためにSSB310のうちの1つを選択してよい。場合によっては、UE115は、信号品質、チャネル条件、予想される信頼性、またはSSB310に関連するいくつかの類似のパラメータに基づいてSSB310を選択してよい。図示したように、UE115はSSB310-bを選択してよい。
【００９４】
UE115は、選択されたSSB310-bに対応するRACH機会315の中でRACHメッセージ送信を実行してよい。場合によっては、各SSB310は、異なるRACH機会315に対応し得る(たとえば、SSB310-aがRACH機会315-aに対応し、SSB310-bがRACH機会315-bに対応する)。基地局105は、RACH構成期間の冒頭においてSSB310を送信してよく、RACH機会315は、RACH構成期間の末尾に配置されてよい。UE115は、SSB310-bを選択したことに基づいて、RACH機会315-bの中でRACHメッセージ(たとえば、RACH Msg1)を基地局へ送信してよい。
【００９５】
UE115は、送信されたRACHメッセージへの基地局105からの応答を求めて監視してよい。たとえば、UE115は、RARウィンドウ320の間に応答(たとえば、RACH Msg2 325送信)を求めて監視してよい。UE115がRARウィンドウ320の間に応答を受信する場合、UE115は、アクセスプロシージャの次のステップ(たとえば、別のタイプのRACHメッセージを送信すること、リンクを確立することなど)に進んでよい。UE115がRARウィンドウ320の間に応答を受信しない場合、UE115は、別のRACH機会315の中でRACHメッセージを再送信してよい。RARウィンドウ320がバックオフ期間を含まないかまたは最小バックオフ期間を含む場合、UE115は、RARウィンドウ320に後続する任意の時間(たとえば、RACH機会315に対応する任意の時間)においてRACHメッセージを再送信してよい。
【００９６】
UE115は、選択されたSSB310-bに従って、RACH機会315-bの中でRACHメッセージを送信してよい。たとえば、UE115は、SSB310-bを受信するために使用された受信ビームに基づく送信ビームを利用してよく、同じ受信ビームを使用して応答を求めて監視してよい。このことは、Msg2許可に対する復調基準信号(DMRS)が、選択されたSSB310-bとQCLされていることに基づいてよく、ここで、UE115は、同じ受信ビーム上でQCL送信を受信することができ、異なる受信ビーム上で非QCL送信を受信してよい。UE115は、RARウィンドウ320の間に応答を求めて監視してよい。場合によっては、RARウィンドウ320は、RACHメッセージ(たとえば、利用されるRACH機会315-b)の送信の後または送信において開始してよく、RARタイマーまたはRAR長に基づいて終了してよい。図示したように、RARウィンドウ320はSSB310ロケーションにオーバーラップすることがある。
【００９７】
UE115が基地局105から探索空間構成を受信しない場合、UE115は、送信されたRACHメッセージへの応答を求めて監視するために利用すべきデフォルト探索空間を識別し得る。他の場合には、UE115は、探索空間構成の表示を受信し得、ここで、探索空間構成は開始時間および終了時間を含む。RACH応答監視のためにデフォルト探索空間を実施するのかそれとも構成済みの探索空間を実施するのかにかかわらず、UE115は、TTI(たとえば、スロット)当り1つの探索空間を監視してよい。探索空間の開始シンボルは、これらのスロットの各々に対して同じままであってよい。場合によっては、UE115は、(たとえば、開始時間または終了時間が示されないデフォルト探索空間に対して)RARウィンドウ320内の各スロットの中の探索空間を監視してよい。デフォルト探索空間の場合、UE115は、RMSI探索空間に関連するシンボルロケーションを、RACH応答用のデフォルト探索空間に対するシンボルロケーションとして再使用してよい。
【００９８】
しかしながら、場合によっては、RARウィンドウ320の各スロットの中の探索空間を利用することは、探索空間をSSB310送信のために使用される時間リソースとオーバーラップさせる結果となり得る。たとえば、UE115によって監視される探索空間、および基地局105によるSSB310送信は、シンボルロケーションを共有することがある。時間リソースの中でオーバーラップするRACH Msg2 325送信とSSB310との間を区別するために、基地局105およびUE115はFDMを実行してよい。これらの送信が(たとえば、SSB310-bおよびRACH Msg2 325のように)QCLされている場合、このFDMプロシージャにより、UE115における同じ受信ビームが送信の両方を受信することが可能になり得る。しかしながら、これらの送信が(たとえば、SSB310-aおよびRACH Msg2 325のように)QCLされていない場合、UE115は、FDMプロシージャを使用して同じ受信ビーム上で送信を受信しないことがある。したがって(たとえば、UE115が一度に1つの受信ビームを使用して動作する場合)、UE115は、SSB310-bに対応する受信ビーム上で応答メッセージを求めて監視しながらSSB310-aをトラッキングできないことがある。
【００９９】
場合によっては、UE115は、RARウィンドウ320の間にRACH Msg2 325送信を首尾よく受信および復号しないことがある。これらの場合、RARウィンドウ320の完了は、RACHメッセージを再送信するとともに応答を求めて再び監視するようにUE115をトリガし得る。UE115が(たとえば、オーバーラップする時間リソースに起因して)RARウィンドウ320の間にSSB310-aをトラッキングできない場合、UE115は、RARウィンドウ320に後続するSSB310-aに対応するRACH機会315-aを利用し得ない。このことは、RACHメッセージ送信のレイテンシを増大させることがあり、その信頼性を低減することがある。たとえば、バックオフ期間がないこと-または無意味なバックオフ期間-を想定すると、UE115は、SSB310-aが受信される場合、RARウィンドウ320に後続するRACH機会315-aの中でRACHメッセージを再送信してよく、UE115がRACH機会315-bの中でRACHメッセージを再送信することを待つ場合よりも高速な再送信をUE115が実行することが可能になる。しかしながら、UE115が(たとえば、SSB310-aではなくSSB310-bに関連する受信ビームを使用して探索空間を監視することに起因して)RARウィンドウ320の間にSSB310-aを受信しない場合、UE115は、対応するRACH機会315-aをRACH再送信のために利用することができず、もっと後の(たとえば、UE115がそれに対して対応するSSB310を受信した)RACH機会315を、再送信のために待つ。追加として、RARウィンドウ320の間にRACH Msg2 325を受信しないことは、チャネルに伴う問題(たとえば、干渉の存在、低い信号対雑音比(SNR)など)に起因し得る。SSB310-bおよび対応するRACH機会315-bを使用して送信を反復することは、1つまたは複数の再送信にわたって同一のチャネル問題が残存し得るので、異なるSSB310およびRACH機会315を使用するよりも失敗する確率が大きいことがある。異なるSSB310に、-また、それに対応して異なるRACH機会315に-切り替えることによって、UE115は、RACHメッセージに応答してRACH Msg2 325送信を受信する確率を(たとえば、異なるチャネル条件に起因して)改善し得る。
【０１００】
RACH Msg2 325監視とは異なる受信ビームに関連するSSB310(たとえば、SSB310-a)をトラッキングすることに伴う問題は、RARウィンドウ320にわたって残存し得る。たとえば、RACH Msg2/3/4の探索空間が、各スロットの中の同じシンボルにおいて開始し、かつSSB310がMsg2/3/4のDMRSとQCLされておらず1つまたは複数のスロットの中の同じシンボルにおいて送信される場合、これらの時間リソースは、各RARウィンドウ320の中でオーバーラップすることがある。したがって、UE115は、全体的な再送信プロシージャの間、最初に選択されたSSB310-bとQCLされていないSSB310をトラッキングできないことがある。
【０１０１】
この問題を処理するために、Msg2/3/4の探索空間は、Msg2/3/4のDMRSとQCLされていないSSBとオーバーラップしないように規定されてよい。たとえば、UE115は、基地局105によって実際に送信されるSSB310を識別し得、これらのSSB310用の時間リソースを決定し得る。UE115がRACH送信用のSSB310を選択すると、UE115は、非QCL SSB310の送信のために使用される時間リソースを識別し得る。たとえば、UE115がSSB310-bを選択する場合、UE115は、非QCL SSB310-aの送信用の時間リソースを識別し得る。UE115が、応答を求めて監視するための探索空間(たとえば、デフォルトまたは構成済みの探索空間)を決定するとき、UE115は、探索空間時間リソースを識別された非QCL SSB310時間リソースとオーバーラップさせることを回避してよい。ある場合には、このことは、探索空間を識別すること、およびこれらの時間リソースの中でオーバーラップしないように(たとえば、探索空間、時間リソース、またはその両方に関連する優先度レベルに基づいて)探索空間を修正することを伴ってよい。たとえば、UE115は、探索空間のスロット周期性を変更してよく、またはシンボルレベルにおいて探索空間を修正してよい。第2の事例では、このことは、識別された非QCL SSB310用の時間リソースとオーバーラップしない探索空間を選択することを伴ってよい。
【０１０２】
本明細書で説明する事例のうちのいずれにおいても、探索空間の時間リソースと非QCL SSB310とをオーバーラップさせないことによって、UE115は、SSB310とRACH Msg2 325送信の両方を求めて監視し得る。たとえば、UE115は、ある時間において1つの受信ビームを使用してRACH Msg2 325送信およびSSB310-bを求めて監視してよく、異なる時間において異なる受信ビームを使用してSSB310-aを求めて監視するように切り替えてよい。このことにより、レイテンシが低減されるとともに信頼性が改善された再送信をUE115が実行することが可能になり得、UE115がRARウィンドウ320を効率的に利用することが可能になり得る。
【０１０３】
図4は、本開示の態様によるRACHメッセージングのための探索空間構成をサポートする可能な多重化パターン400の例を示す。可能な多重化パターン400は、図1〜図3を参照しながら本明細書で説明したように、送信のために基地局105によって、かつ受信のためにUE115によって使用され得る。各パターン405は、SS/PBCHブロック420(たとえば、または任意の類似の同期信号)、CORESET425(たとえば、RMSI PDCCH送信)、および物理ダウンリンク共有チャネル(PDSCH)430(たとえば、RMSI PDSCH送信)のために使用される、時間リソース410および周波数リソース415の概略を示す。これらは可能な多重化パターン400のほんの数例であり、他のパターン405が実施されてもよい。
【０１０４】
パターン405-aはTDM例を示す。SS/PBCHブロック420、CORESET425、およびPDSCH430は、周波数リソース415-a(たとえば、周波数リソースの少なくともサブセット)を共有するが、異なる時間リソース410-aを利用する。場合によっては、UE115は、SS/PBCHブロック420およびCORESET425が時間リソース410-aの中でオーバーラップしないように、RMSI探索空間CORESETに対してこのようなパターンを選択してよい。これらの場合、UE115は、選択されたRMSI探索空間から時間リソースを除去しなくてよい。
【０１０５】
パターン405-bは、TDM例とFDM例との組合せを示す。SS/PBCHブロック420およびPDSCH430は、時間リソース410-b(たとえば、時間リソースの少なくともサブセット)を共有し得るが、異なる周波数リソース415-bを利用し得る。一方、CORESET425は、PDSCH430と周波数リソース415-bを共有し得るが時間リソース410-bを共有しなくてよく、時間リソースまたは周波数リソースのいずれかをSS/PBCHブロック420と共有しなくてよい。このようにして、パターン405-aの場合と同様に、UE115は、時間リソース410-bの中でCORESET425とSS/PBCHブロック420とをオーバーラップさせることを回避するために、このようにして規定されたCORESET425を有するRMSI探索空間を選択してよい。
【０１０６】
パターン405-cは、TDM例とFDM例との組合せを示す。CORESET425およびPDSCH430は、周波数リソース415-cを共有し得るが時間リソース410-cを共有しなくてよい。一方、SS/PBCHブロック420は、PDSCH430およびCORESET425と時間リソース410-cを共有し得るが周波数リソース415-cを共有しなくてよい。このようなパターン405において、UE115が、このようにして規定されたCORESET425を有するRMSI探索空間を選択する場合、UE115は、SS/PBCHブロック420の非QCL SSB/PBCHの時間リソース410-cを識別し得、(たとえば、これらの時間リソース410-cをオーバーラップさせることを回避するために)これらの時間リソース410-cをCORESET425から除去してよい。
【０１０７】
UE115が、RMSI探索空間(たとえば、Type0-PDCCH共通探索空間)に対するCORESETが存在することを決定する場合、UE115は、RMSI探索空間のCORESETに対するいくつかの連続したRBおよびいくつかの連続したシンボルを、マスタ情報ブロック(MIB)の中に含まれるビットの第1のセット(たとえば、RMSI PDCCH構成の4つの最上位ビット)から決定してよく、そうしたビットの第2のセット(たとえば、RMSI PDCCH構成の4つの最下位ビット)からPDCCH監視機会を決定してよい。以下に提示するTable 1(表1)〜Table 5(表5)は、特定のパラメータに基づいて監視機会を決定するための可能な技法を示す。
【０１０８】
【表１】
2021521711.tif 000003
【０１０９】
【表２】
2021521711.tif 000004
【０１１０】
【表３】
2021521711.tif 000005
【０１１１】
【表４】
2021521711.tif 000006
【０１１２】
【表５】
2021521711.tif 000007
【０１１３】
上の表において、SFNCおよびnCは、CORESETのサブキャリア間隔に基づく、CORESETのSFNおよびスロットインデックスであり、SFNSSB,iおよびnSSB,iは、インデックスiを有するSS/PBCHブロック420がシステムフレームSFNSSB,iおよびスロットnSSB,iと時間的にオーバーラップするときの、CORESETのサブキャリア間隔に基づくSFNおよびスロットインデックスである。
【０１１４】
場合によっては、RMSI探索空間に対するCORESETの最小RBインデックスから、SS/PBCHブロック420の第1のRBとオーバーラップする共通RBの最小RBインデックスまで、CORESETのサブキャリア間隔を基準にしてオフセットが規定され得る。
【０１１５】
パターン405-aの場合、UE115は、スロットn0から始まる2つの連続したスロットにわたって、RMSI探索空間CORESET425の中でPDCCHを監視してよく、ただし、
【０１１６】
【数１】
2021521711.tif 000008
【０１１７】
の場合、SFNC mod 2=0を満たすSFNCを有するフレームの中に配置されるか、または
【０１１８】
【数２】
2021521711.tif 000009
【０１１９】
の場合、SFNC mod 2=1を満たすSFNCを有するフレームの中に配置される、
【０１２０】
【数３】
2021521711.tif 000010
【０１２１】
とする。MおよびOに対する値は、Table 1(表1)およびTable 2(表2)の中に見つけられてよく、CORESETの中のPDCCH受信に対するサブキャリア間隔に基づいてμ∈{0,1,2,3}である。スロットnCの中のCORESETの第1のシンボルに対するインデックスは、Table 1(表1)およびTable 2(表2)の中で与えられる第1のシンボルインデックスであってよい。
【０１２２】
パターン405-bおよび405-cの場合、UE115は、対応するSS/PBCHブロック420の周期性に等しいRMSI探索空間周期性を有する1つのスロットにわたって、RMSI探索空間の中でPDCCHを監視してよい。インデックスiを有するSS/PBCHブロック420に対して、UE115は、Table 3(表3)〜Table 5(表5)の中で与えられるパラメータに基づいてスロットインデックスnCおよびSFNCを決定してよい。
【０１２３】
UE115が、第1のSS/PBCHブロック420を検出し、かつRMSI探索空間に対するCORESET425が存在しないことを決定する場合、およびいくつかの周波数範囲(FR)(たとえば、FR1に対して24≦kSSB≦29、またはFR2に対して12≦kSSB≦13)に対して、UE115は、関連するRMSI探索空間に対するCORESETを有する第2のSS/PBCHブロック420のグローバル同期チャネル番号(GSCN)を、
【０１２４】
【数４】
2021521711.tif 000011
【０１２５】
として決定してよく、ただし、
【０１２６】
【数５】
2021521711.tif 000012
【０１２７】
は、第1のSS/PBCHブロック420のGSCNであり、
【０１２８】
【数６】
2021521711.tif 000013
【０１２９】
は、以下に提示するTable 6(表6)およびTable 7(表7)によって与えられるGSCNオフセットであり、ここで、Table 6(表6)はFR1(たとえば、450MHz〜6000MHz)に対応し、Table 7(表7)はFR2(たとえば、24250MHz〜52600MHz)に対応する。
【０１３０】
UE115が、SS/PBCHブロック420を検出し、かつRMSI探索空間に対するCORESETが存在しないことを決定する場合、いくつかのFR(たとえば、FR1に対してkSSB=31、またはFR2に対してkSSB=15)に対して、UE115は、GSCN範囲
【０１３１】
【数７】
2021521711.tif 000014
【０１３２】
内に、関連するRMSI探索空間を有するSS/PBCHブロックがないことを決定してよく、ただし、
【０１３３】
【数８】
2021521711.tif 000015
【０１３４】
および
【０１３５】
【数９】
2021521711.tif 000016
【０１３６】
は、それぞれ、RMSI PDCCH構成のビットの第1のセット(たとえば、4つの最上位ビット)およびビットの第2のセット(たとえば、4つの最下位ビット)に基づいて決定される。
【０１３７】
【表６】
2021521711.tif 000017
【０１３８】
【表７】
2021521711.tif 000018
【０１３９】
図5は、本開示の態様によるRACHメッセージングのための探索空間構成をサポートするプロセスフロー500の一例を示す。プロセスフロー500は、図1および図2に関して説明したデバイスの例であってよい基地局105-bおよびUE115-bを含んでよい。UE115-bは、SSB送信タイミングに基づいて、ダウンリンクRACHメッセージング(たとえば、PDCCH信号)を受信するための探索空間を決定してよい。いくつかの実装形態では、本明細書で説明するプロセスは、異なる順序で実行されてよく、またはワイヤレスデバイスによって実行される1つまたは複数の追加または代替のプロセスを含んでよい。
【０１４０】
505において、基地局105-bはSSBのセットを送信してよい。UE115-bは、SSBのセットを受信し得、SSBのセットの1つのSSBを選択してよい。場合によっては、UE115-bは、SSB送信がQCLされているか否かに基づいて、異なる受信ビーム上で異なるSSBを受信することがある。たとえば、UE115-bは、第1の受信ビーム上でSSBを受信し得、第1の受信ビームとは異なる受信ビーム上でSSBのセットの1つまたは複数の他のSSBを受信し得る。510において、UE115-bは、選択されたSSBに基づいて、第1のRACHメッセージを基地局105-bへ送信してよい。たとえば、UE115-bは、選択されたSSBに対応するRACH機会の中で第1のRACHメッセージを送信してよい。
【０１４１】
515において、UE115-bおよび基地局105-bは、1つまたは複数の他のSSBの送信のために基地局105-bによって使用される時間リソースのセットを識別し得る。これらの他のSSBは、第1の受信ビームとは異なる受信ビーム上でUE115-bによって受信され得る。時間リソースの識別済みのセットは、選択されたSSBと同じビーム上でUE115-bによって受信され得ないSSBのために使用される時間リソースに相当し得る。
【０１４２】
520において、UE115-bおよび基地局105-bは、第1のRACHメッセージに基づいて、PDCCHメッセージを受信するための探索空間を識別し得、ここで、識別済みの探索空間は、時間リソースの識別済みのセットとは異なる時間リソースを含む。たとえば、探索空間は、時間リソースの識別済みのセットにオーバーラップするいかなる時間リソースも含まなくてよい。場合によっては、探索空間は、PBCH構成を介して示される修正済みのRMSI探索空間の一例であってよく、ここで、RMSI探索空間は、時間リソースの識別済みのセットと時間的にオーバーラップするリソースを除去するように修正されている。他の場合には、探索空間は、時間リソースの識別済みのセットとオーバーラップしない(たとえば、PBCH構成を介して示されない)有効なRMSI探索空間の一例であってよい。たとえば、探索空間は、PDCCH CORESETが同期信号とTDMされないパターンを使用してよい。また他の場合には、UE115-bは、探索空間に対する構成を受信し得、時間リソースの識別済みのセットとオーバーラップする構成済みの探索空間から時間リソースを除去してよい。これらの場合のうちのいずれにおいても、送信を求めて監視するために使用される得られた探索空間は、非QCL SSB送信と時間的にオーバーラップしなくてよい。
【０１４３】
525において、基地局105-bは、PDCCHメッセージを識別済みの探索空間内のCCEにマッピングしてよい。このPDCCHメッセージは、RACH Msg2/3/4に対するPDCCH許可の一例であってよい。530において、UE115-bは、PDCCHメッセージ送信を求めて探索空間を監視してよい。UE115-bは、第1の受信ビーム(たとえば、選択されたSSBを受信するために使用される受信ビーム)を使用して、送信を求めて監視してよい。
【０１４４】
535において、基地局105-bは、マッピングに従ってPDCCHメッセージをUE115-bへ送信してよい。場合によっては、基地局105-bは、540において再びSSBのセットを送信してよい。UE115-bは、受信ビームを切り替えることに基づいて非QCL SSBを受信し得る。たとえば、UE115-bは、探索空間の時間リソースの間、第1の受信ビームを使用して送信を受信してよく、非QCL SSB用の時間リソースの識別済みのセットの間、異なる受信ビームを使用して送信を受信してよい。UE115-bが(たとえば、第1のRACHメッセージに応答して、受信ウィンドウの間に)PDCCHメッセージを受信する場合、UE115-bは、さらなるRACHプロシージャを実行してよい。UE115-bがPDCCHメッセージを受信しない場合、UE115-bは、(たとえば、同じSSBを使用して、または非QCL SSBのうちの1つなどの受信された追加のSSBを使用して)再送信プロセスを実行してよい。
【０１４５】
図6は、本開示の態様によるRACHメッセージングのための探索空間構成をサポートするワイヤレスデバイス605のブロック図600を示す。ワイヤレスデバイス605は、本明細書で説明するようなUE115の態様の一例であってよい。ワイヤレスデバイス605は、受信機610、UE探索空間モジュール615、および送信機620を含んでよい。ワイヤレスデバイス605はまた、プロセッサを含んでよい。これらの構成要素の各々は、(たとえば、1つまたは複数のバスを介して)互いに通信していてよい。
【０１４６】
受信機610は、パケット、ユーザデータ、または様々な情報チャネル(たとえば、制御チャネル、データチャネル、およびRACHメッセージングのための探索空間構成に関係する情報など)に関連する制御情報などの、情報を受信し得る。情報は、デバイスの他の構成要素に渡されてよい。受信機610は、図9を参照しながら説明するトランシーバ935の態様の一例であってよい。受信機610は、単一のアンテナまたはアンテナのセットを利用し得る。
【０１４７】
UE探索空間モジュール615は、図9を参照しながら説明するUE探索空間モジュール915の態様の一例であってよい。
【０１４８】
UE探索空間モジュール615および/またはその様々な下位構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、UE探索空間モジュール615および/またはその様々な下位構成要素のうちの少なくともいくつかの機能は、汎用プロセッサ、デジタル信号プロセッサ(DSP)、特定用途向け集積回路(ASIC)、フィールドプログラマブルゲートアレイ(FPGA)もしくは他のプログラマブル論理デバイス(PLD)、個別ゲートもしくはトランジスタ論理、個別ハードウェア構成要素、または本開示で説明する機能を実行するように設計されたそれらの任意の組合せによって実行され得る。UE探索空間モジュール615および/またはその様々な下位構成要素のうちの少なくともいくつかは、1つまたは複数の物理デバイスによって、異なる物理的ロケーションにおいて機能の部分が実装されるように分散されることを含めて、様々な位置に物理的に配置され得る。いくつかの例では、UE探索空間モジュール615および/またはその様々な下位構成要素のうちの少なくともいくつかは、本開示の様々な態様による別個の異なる構成要素であってよい。他の例では、UE探索空間モジュール615および/またはその様々な下位構成要素のうちの少なくともいくつかは、限定はしないが、入力/出力(I/O)構成要素、トランシーバ、ネットワークサーバ、別のコンピューティングデバイス、本開示で説明する1つもしくは複数の他の構成要素、または本開示の様々な態様によるそれらの組合せを含む、1つまたは複数の他のハードウェア構成要素と組み合わせられてよい。
【０１４９】
UE探索空間モジュール615は、第1の受信ビーム上でUEによって受信されたSSBに基づいて第1のRACHメッセージを基地局へ送信することと、基地局からの1つまたは複数の他のSSBの送信のために基地局によって使用される時間リソースのセットを識別することと、第1のRACHメッセージに基づいて、PDCCHメッセージを受信するための探索空間を識別することであって、ここで、識別済みの探索空間が、時間リソースの識別済みのセットとは異なる時間リソースを含むことと、識別済みの探索空間の中でPDCCHメッセージを求めて監視することとを行ってよい。
【０１５０】
送信機620は、デバイスの他の構成要素によって生成された信号を送信し得る。いくつかの例では、送信機620は、トランシーバモジュールの中で受信機610と一緒に置かれてよい。たとえば、送信機620は、図9を参照しながら説明するトランシーバ935の態様の一例であってよい。送信機620は、単一のアンテナまたはアンテナのセットを利用し得る。
【０１５１】
図7は、本開示の態様によるRACHメッセージングのための探索空間構成をサポートするワイヤレスデバイス705のブロック図700を示す。ワイヤレスデバイス705は、図6を参照しながら説明したようなワイヤレスデバイス605またはUE115の態様の一例であってよい。ワイヤレスデバイス705は、受信機710、UE探索空間モジュール715、および送信機720を含んでよい。ワイヤレスデバイス705はまた、プロセッサを含んでよい。これらの構成要素の各々は、(たとえば、1つまたは複数のバスを介して)互いに通信していてよい。
【０１５２】
受信機710は、パケット、ユーザデータ、または様々な情報チャネル(たとえば、制御チャネル、データチャネル、およびRACHメッセージングのための探索空間構成に関係する情報など)に関連する制御情報などの、情報を受信し得る。情報は、デバイスの他の構成要素に渡されてよい。受信機710は、図9を参照しながら説明するトランシーバ935の態様の一例であってよい。受信機710は、単一のアンテナまたはアンテナのセットを利用し得る。
【０１５３】
UE探索空間モジュール715は、図9を参照しながら説明するUE探索空間モジュール915の態様の一例であってよい。UE探索空間モジュール715はまた、送信構成要素725、時間リソース識別器730、探索空間識別器735、および監視構成要素740を含んでよい。
【０１５４】
送信構成要素725は、第1の受信ビーム上でUEによって受信されたSSBに基づいて第1のRACHメッセージを基地局へ送信し得る。時間リソース識別器730は、基地局からの1つまたは複数の他のSSBの送信のために基地局によって使用される時間リソースのセットを識別し得る。探索空間識別器735は、第1のRACHメッセージに基づいて、PDCCHメッセージを受信するための探索空間を識別し得、ここで、識別済みの探索空間は、時間リソースの識別済みのセットとは異なる時間リソースを含む。監視構成要素740は、識別済みの探索空間の中でPDCCHメッセージを求めて監視し得る。
【０１５５】
送信機720は、デバイスの他の構成要素によって生成された信号を送信し得る。いくつかの例では、送信機720は、トランシーバモジュールの中で受信機710と一緒に置かれてよい。たとえば、送信機720は、図9を参照しながら説明するトランシーバ935の態様の一例であってよい。送信機720は、単一のアンテナまたはアンテナのセットを利用し得る。
【０１５６】
図8は、本開示の態様によるRACHメッセージングのための探索空間構成をサポートするUE探索空間モジュール815のブロック図800を示す。UE探索空間モジュール815は、図6、図7、および図9を参照しながら説明する、UE探索空間モジュール615、UE探索空間モジュール715、またはUE探索空間モジュール915の態様の一例であってよい。UE探索空間モジュール815は、送信構成要素820、時間リソース識別器825、探索空間識別器830、監視構成要素835、探索空間構成構成要素840、受信構成要素845、およびビーム選択構成要素850を含んでよい。これらのモジュールの各々は、(たとえば、1つまたは複数のバスを介して)互いに直接または間接的に通信し得る。
【０１５７】
送信構成要素820は、第1の受信ビーム上でUE115によって受信されたSSBに基づいて第1のRACHメッセージを基地局へ送信し得る。
【０１５８】
時間リソース識別器825は、基地局からの1つまたは複数の他のSSBの送信のために基地局によって使用される時間リソースのセットを識別し得る。場合によっては、1つまたは複数の他のSSBは、第1の受信ビームとは異なる受信ビーム上でUE115によって受信される。場合によっては、1つまたは複数の他のSSBは、基地局によって実際に送信される1つまたは複数のSSBの例である。場合によっては、時間リソース識別器825は、RMSI、他のシステム情報(OSI)、RRCメッセージ、MAC CE、ハンドオーバメッセージ、またはそれらの組合せの中で、基地局によって実際に送信される1つまたは複数のSSBの表示を基地局から受信し得る。場合によっては、1つまたは複数の他のSSBのロケーションは固定される。
【０１５９】
探索空間識別器830は、第1のRACHメッセージに基づいて、PDCCHメッセージを受信するための探索空間を識別し得、ここで、識別済みの探索空間は、時間リソースの識別済みのセットとは異なる時間リソースを含む。場合によっては、探索空間識別器830は、SSBに対応しPBCH構成を介して構成されるRMSI探索空間を識別し得、ここで、探索空間を識別することは、時間リソースの識別済みのセットとオーバーラップする識別済みのRMSI探索空間から時間リソースを除去することをさらに含んでよく、ここで、識別済みの探索空間は、識別済みのRMSI探索空間の残りの時間リソースを含む。場合によっては、識別済みのRMSI探索空間から時間リソースを除去することは、識別済みのRMSI探索空間のスロットレベル周期性を変更することを含み、ここで、識別済みの探索空間は、識別済みのRMSI探索空間と同じシンボルインデックスロケーションを含むが、識別済みのRMSI探索空間の変更済みのスロットレベル周期性を有する。場合によっては、探索空間を識別することは、基地局からのRMSI送信に基づいて、デフォルト探索空間を実施すべきと決定することと、RMSI探索空間の監視機会に基づいて、PDCCHメッセージを求めて監視するための監視機会を識別することとをさらに含んでよい。場合によっては、探索空間を識別することは、時間リソースの識別済みのセットとオーバーラップしない時間リソースを有するRMSI探索空間を識別することをさらに含んでよく、ここで、識別済みの探索空間は、識別済みのRMSI探索空間を含む。場合によっては、探索空間を識別することは、第1のRACHメッセージを送信することに基づいて探索空間の開始を識別することと、応答タイマーに基づいて探索空間の終了を識別することとをさらに含んでよい。場合によっては、応答タイマーは、RARウィンドウ、競合解決タイマー、またはそれらの組合せを含む。
【０１６０】
監視構成要素835は、識別済みの探索空間の中でPDCCHメッセージを求めて監視し得る。場合によっては、ビーム選択構成要素850は、第1の受信ビームを選択し得、ここで、識別済みの探索空間は、時間リソースの識別済みのセットとは異なる時間リソースの間、選択された第1の受信ビームを使用して監視される。場合によっては、ビーム選択構成要素850は、追加として、選択された第1の受信ビームとは異なる第2の受信ビームを選択し得る。監視構成要素835は、時間リソースの識別済みのセットの間、選択された第2の受信ビームを使用して1つまたは複数の他のSSBのうちの少なくとも1つのSSBを求めて監視し得る。場合によっては、PDCCHメッセージは、RACH Msg2送信に対するPDCCH許可、RACH Msg3送信に対するPDCCH許可、RACH Msg4送信に対するPDCCH許可、またはそれらの組合せの一例である。
【０１６１】
探索空間構成構成要素840は、探索空間のための時間リソースのセットの表示を基地局から受信し得、探索空間のための時間リソースの示されるセットから、時間リソースの識別済みのセットの時間リソースを除去し得、ここで、識別済みの探索空間は、探索空間のための時間リソースの示されるセットの残りの時間リソースを含む。場合によっては、探索空間のための時間リソースのセットの表示は、探索空間用の時間ウィンドウを含む。場合によっては、時間ウィンドウのスロットのサブセットは、識別済みの探索空間を含む。場合によっては、スロットのサブセットは、時間ウィンドウの各スロットを含む。
【０１６２】
場合によっては、受信構成要素845は、基地局からSSBを受信し得、ここで、第1のRACHメッセージは、SSBに対応するRACH機会の中で送信される。追加または代替として、受信構成要素845は、時間リソースの識別済みのセットとオーバーラップしない識別済みの探索空間のための時間リソースに基づいて、1つまたは複数の他のSSBのうちの少なくとも1つのSSBを基地局から受信し得る。場合によっては、受信構成要素845は、監視に基づいて、識別済みの探索空間のCCEの中でPDCCHメッセージを受信し得る。
【０１６３】
図9は、本開示の態様によるRACHメッセージングのための探索空間構成をサポートするデバイス905を含むシステム900のブロック図を示す。デバイス905は、たとえば、図6および図7を参照しながら本明細書で説明したような、ワイヤレスデバイス605、ワイヤレスデバイス705、またはUE115の構成要素の一例であってよく、またはそれを含んでもよい。デバイス905は、UE探索空間モジュール915、プロセッサ920、メモリ925、ソフトウェア930、トランシーバ935、アンテナ940、およびI/Oコントローラ945を含む、通信を送信および受信するための構成要素を含む、双方向音声およびデータ通信のための構成要素を含んでよい。これらの構成要素は、1つまたは複数のバス(たとえば、バス910)を介して電子通信していてよい。デバイス905は、1つまたは複数の基地局105とワイヤレス通信し得る。
【０１６４】
プロセッサ920は、インテリジェントハードウェアデバイス(たとえば、汎用プロセッサ、DSP、中央処理ユニット(CPU)、マイクロコントローラ、ASIC、FPGA、PLD、個別ゲートもしくはトランジスタ論理構成要素、個別ハードウェア構成要素、またはそれらの任意の組合せ)を含んでよい。場合によっては、プロセッサ920は、メモリコントローラを使用してメモリアレイを動作させるように構成され得る。他の場合には、メモリコントローラはプロセッサ920の中に統合されてよい。プロセッサ920は、様々な機能(たとえば、RACHメッセージングのための探索空間構成をサポートする機能またはタスク)を実行するために、メモリの中に記憶されたコンピュータ可読命令を実行するように構成され得る。
【０１６５】
メモリ925は、ランダムアクセスメモリ(RAM)および読取り専用メモリ(ROM)を含んでよい。メモリ925は、実行されたとき、本明細書で説明する様々な機能をプロセッサに実行させる命令を含む、コンピュータ可読コンピュータ実行可能ソフトウェア930を記憶し得る。場合によっては、メモリ925は、特に、周辺構成要素または周辺デバイスとの相互作用などの基本的なハードウェア動作またはソフトウェア動作を制御し得る基本I/Oシステム(BIOS)を含んでよい。
【０１６６】
ソフトウェア930は、RACHメッセージングのための探索空間構成をサポートするためのコードを含む、本開示の態様を実施するためのコードを含んでよい。ソフトウェア930は、システムメモリまたは他のメモリなどの非一時的コンピュータ可読媒体の中に記憶され得る。場合によっては、ソフトウェア930は、プロセッサによって直接実行可能でなくてよいが、(たとえば、コンパイルおよび実行されたとき)本明細書で説明する機能をコンピュータに実行させてよい。
【０１６７】
トランシーバ935は、本明細書で説明するように、1つまたは複数のアンテナ、有線リンク、またはワイヤレスリンクを介して双方向に通信し得る。たとえば、トランシーバ935は、ワイヤレストランシーバを表してよく、別のワイヤレストランシーバと双方向に通信し得る。トランシーバ935はまた、送信のためにパケットを変調するとともに被変調パケットをアンテナに提供し、かつアンテナから受信されたパケットを復調するための、モデムを含んでよい。
【０１６８】
場合によっては、ワイヤレスデバイスは単一のアンテナ940を含んでよい。しかしながら、場合によっては、デバイスは、複数のワイヤレス送信を並行して送信または受信することが可能であり得る2つ以上のアンテナ940を有してよい。
【０１６９】
I/Oコントローラ945は、デバイス905のための入力信号および出力信号を管理し得る。I/Oコントローラ945はまた、デバイス905の中に統合されていない周辺装置を管理し得る。場合によっては、I/Oコントローラ945は、外部周辺装置への物理接続またはポートを表してよい。場合によっては、I/Oコントローラ945は、iOS(登録商標)、ANDROID(登録商標)、MS-DOS(登録商標)、MS-WINDOWS(登録商標)、OS/2(登録商標)、UNIX(登録商標)、LINUX(登録商標)、または知られている別のオペレーティングシステムなどの、オペレーティングシステムを利用し得る。他の場合には、I/Oコントローラ945は、モデム、キーボード、マウス、タッチスクリーン、または類似のデバイスを表してよく、またはそれらと相互作用してもよい。場合によっては、I/Oコントローラ945は、プロセッサの一部として実装され得る。場合によっては、ユーザは、I/Oコントローラ945を介して、またはI/Oコントローラ945によって制御されるハードウェア構成要素を介して、デバイス905と対話し得る。
【０１７０】
図10は、本開示の態様によるRACHメッセージングのための探索空間構成をサポートするワイヤレスデバイス1005のブロック図1000を示す。ワイヤレスデバイス1005は、本明細書で説明するような基地局105の態様の一例であってよい。ワイヤレスデバイス1005は、受信機1010、基地局探索空間モジュール1015、および送信機1020を含んでよい。ワイヤレスデバイス1005はまた、プロセッサを含んでよい。これらの構成要素の各々は、(たとえば、1つまたは複数のバスを介して)互いに通信していてよい。
【０１７１】
受信機1010は、パケット、ユーザデータ、または様々な情報チャネル(たとえば、制御チャネル、データチャネル、およびRACHメッセージングのための探索空間構成に関係する情報など)に関連する制御情報などの、情報を受信し得る。情報は、デバイスの他の構成要素に渡されてよい。受信機1010は、図13を参照しながら説明するトランシーバ1335の態様の一例であってよい。受信機1010は、単一のアンテナまたはアンテナのセットを利用し得る。
【０１７２】
基地局探索空間モジュール1015は、図13を参照しながら説明する基地局探索空間モジュール1315の態様の一例であってよい。
【０１７３】
基地局探索空間モジュール1015および/またはその様々な下位構成要素のうちの少なくともいくつかは、ハードウェア、プロセッサによって実行されるソフトウェア、ファームウェア、またはそれらの任意の組合せで実装され得る。プロセッサによって実行されるソフトウェアで実装される場合、基地局探索空間モジュール1015および/またはその様々な下位構成要素のうちの少なくともいくつかの機能は、汎用プロセッサ、DSP、ASIC、FPGAもしくは他のPLD、個別ゲートもしくはトランジスタ論理、個別ハードウェア構成要素、または本開示で説明する機能を実行するように設計されたそれらの任意の組合せによって実行され得る。基地局探索空間モジュール1015および/またはその様々な下位構成要素のうちの少なくともいくつかは、1つまたは複数の物理デバイスによって、異なる物理的ロケーションにおいて機能の部分が実装されるように分散されることを含めて、様々な位置に物理的に配置され得る。いくつかの例では、基地局探索空間モジュール1015および/またはその様々な下位構成要素のうちの少なくともいくつかは、本開示の様々な態様による別個の異なる構成要素であってよい。他の例では、基地局探索空間モジュール1015および/またはその様々な下位構成要素のうちの少なくともいくつかは、限定はしないが、I/O構成要素、トランシーバ、ネットワークサーバ、別のコンピューティングデバイス、本開示で説明する1つもしくは複数の他の構成要素、または本開示の様々な態様によるそれらの組合せを含む、1つまたは複数の他のハードウェア構成要素と組み合わせられてよい。
【０１７４】
基地局探索空間モジュール1015は、第1の受信ビーム上でUE115によって受信されたSSBに基づいて第1のRACHメッセージをUE115から受信することと、基地局による1つまたは複数の他のSSBの送信のために使用される時間リソースのセットを識別することと、第1のRACHメッセージに基づいて、UE115がPDCCHメッセージを受信するための探索空間を識別することであって、ここで、識別済みの探索空間が、時間リソースの識別済みのセットとは異なる時間リソースを含むこととを行ってよい。基地局探索空間モジュール1015は、追加として、識別済みの探索空間内のCCEにPDCCHメッセージをマッピングしてよく、マッピングに従ってPDCCHメッセージをUEへ送信してよい。
【０１７５】
送信機1020は、デバイスの他の構成要素によって生成された信号を送信し得る。いくつかの例では、送信機1020は、トランシーバモジュールの中で受信機1010と一緒に置かれてよい。たとえば、送信機1020は、図13を参照しながら説明するトランシーバ1335の態様の一例であってよい。送信機1020は、単一のアンテナまたはアンテナのセットを利用し得る。
【０１７６】
図11は、本開示の態様によるRACHメッセージングのための探索空間構成をサポートするワイヤレスデバイス1105のブロック図1100を示す。ワイヤレスデバイス1105は、図10を参照しながら説明したようなワイヤレスデバイス1005または基地局105の態様の一例であってよい。ワイヤレスデバイス1105は、受信機1110、基地局探索空間モジュール1115、および送信機1120を含んでよい。ワイヤレスデバイス1105はまた、プロセッサを含んでよい。これらの構成要素の各々は、(たとえば、1つまたは複数のバスを介して)互いに通信していてよい。
【０１７７】
受信機1110は、パケット、ユーザデータ、または様々な情報チャネル(たとえば、制御チャネル、データチャネル、およびRACHメッセージングのための探索空間構成に関係する情報など)に関連する制御情報などの、情報を受信し得る。情報は、デバイスの他の構成要素に渡されてよい。受信機1110は、図13を参照しながら説明するトランシーバ1335の態様の一例であってよい。受信機1110は、単一のアンテナまたはアンテナのセットを利用し得る。
【０１７８】
基地局探索空間モジュール1115は、図13を参照しながら説明する基地局探索空間モジュール1315の態様の一例であってよい。基地局探索空間モジュール1115はまた、受信構成要素1125、時間リソース識別器1130、探索空間識別器1135、マッピング構成要素1140、および送信構成要素1145を含んでよい。
【０１７９】
受信構成要素1125は、第1の受信ビーム上でUE115によって受信されたSSBに基づいて第1のRACHメッセージをUEから受信し得る。時間リソース識別器1130は、基地局による1つまたは複数の他のSSBの送信のために使用される時間リソースのセットを識別し得る。場合によっては、1つまたは複数の他のSSBは、第1の受信ビームとは異なる受信ビーム上でUE115によって受信される。探索空間識別器1135は、第1のRACHメッセージに基づいて、UE115がPDCCHメッセージを受信するための探索空間を識別し得、ここで、識別済みの探索空間は、時間リソースの識別済みのセットとは異なる時間リソースを含む。マッピング構成要素1140は、識別済みの探索空間内のCCEにPDCCHメッセージをマッピングし得る。送信構成要素1145は、マッピングに従ってPDCCHメッセージをUEへ送信し得る。
【０１８０】
送信機1120は、デバイスの他の構成要素によって生成された信号を送信し得る。いくつかの例では、送信機1120は、トランシーバモジュールの中で受信機1110と一緒に置かれてよい。たとえば、送信機1120は、図13を参照しながら説明するトランシーバ1335の態様の一例であってよい。送信機1120は、単一のアンテナまたはアンテナのセットを利用し得る。
【０１８１】
図12は、本開示の態様によるRACHメッセージングのための探索空間構成をサポートする基地局探索空間モジュール1215のブロック図1200を示す。基地局探索空間モジュール1215は、図10、図11、および図13を参照しながら説明する、基地局探索空間モジュール1315の態様の一例であってよい。基地局探索空間モジュール1215は、受信構成要素1220、時間リソース識別器1225、探索空間識別器1230、マッピング構成要素1235、送信構成要素1240、および探索空間構成構成要素1245を含んでよい。これらのモジュールの各々は、(たとえば、1つまたは複数のバスを介して)互いに直接または間接的に通信し得る。
【０１８２】
受信構成要素1220は、第1の受信ビーム上でUE115によって受信されたSSBに基づいて第1のRACHメッセージをUEから受信し得る。
【０１８３】
時間リソース識別器1225は、基地局による1つまたは複数の他のSSBの送信のために使用される時間リソースのセットを識別し得る。場合によっては、1つまたは複数の他のSSBは、第1の受信ビームとは異なる受信ビーム上でUE115によって受信される。
【０１８４】
探索空間識別器1230は、第1のRACHメッセージに基づいて、UE115がPDCCHメッセージを受信するための探索空間を識別し得、ここで、識別済みの探索空間は、時間リソースの識別済みのセットとは異なる時間リソースを含む。場合によっては、探索空間識別器1230は、SSBに対応しPBCH構成を介して構成されるRMSI探索空間を識別し得る。場合によっては、探索空間を識別することは、時間リソースの識別済みのセットとオーバーラップする識別済みのRMSI探索空間から時間リソースを除去することをさらに含み、ここで、識別済みの探索空間は、識別済みのRMSI探索空間の残りの時間リソースを含む。場合によっては、識別済みのRMSI探索空間のための時間リソースを除去することは、識別済みのRMSI探索空間のスロットレベル周期性を変更することを含み、ここで、識別済みの探索空間は、識別済みのRMSI探索空間と同じシンボルインデックスロケーションを含むが、識別済みのRMSI探索空間の変更済みのスロットレベル周期性を有する。他の場合には、探索空間を識別することは、時間リソースの識別済みのセットとオーバーラップしない時間リソースを有するRMSI探索空間を識別することをさらに含み、ここで、識別済みの探索空間は、識別済みのRMSI探索空間を含む。
【０１８５】
マッピング構成要素1235は、識別済みの探索空間内のCCEにPDCCHメッセージをマッピングし得る。
【０１８６】
送信構成要素1240は、マッピングに従ってPDCCHメッセージをUEへ送信し得る。場合によっては、送信構成要素1240は、SSBをUEへ送信し得、ここで、第1のRACHメッセージは、SSBに対応するRACH機会の中で受信される。場合によっては、PDCCHメッセージは、RACH Msg2送信に対するPDCCH許可、RACH Msg3送信に対するPDCCH許可、RACH Msg4送信に対するPDCCH許可、またはそれらの組合せの一例である。
【０１８７】
探索空間構成構成要素1245は、探索空間のための時間リソースのセットの表示をUEへ送信し得、探索空間のための時間リソースの示されるセットから、時間リソースの識別済みのセットの時間リソースを除去し得、ここで、識別済みの探索空間は、探索空間のための時間リソースの示されるセットの残りの時間リソースを含む。場合によっては、探索空間のための時間リソースのセットの表示は、探索空間用の時間ウィンドウを含む。場合によっては、時間ウィンドウのスロットのサブセットは、識別済みの探索空間を含む。場合によっては、スロットのサブセットは、時間ウィンドウの各スロットを含む。
【０１８８】
図13は、本開示の態様によるRACHメッセージングのための探索空間構成をサポートするデバイス1305を含むシステム1300のブロック図を示す。デバイス1305は、たとえば、図1を参照しながら本明細書で説明したような、基地局105の構成要素の一例であってよく、またはそれを含んでもよい。デバイス1305は、基地局探索空間モジュール1315、プロセッサ1320、メモリ1325、ソフトウェア1330、トランシーバ1335、アンテナ1340、ネットワーク通信マネージャ1345、および局間通信マネージャ1350を含む、通信を送信および受信するための構成要素を含む、双方向音声およびデータ通信のための構成要素を含んでよい。これらの構成要素は、1つまたは複数のバス(たとえば、バス1310)を介して電子通信していてよい。デバイス1305は、1つまたは複数のUE115とワイヤレス通信し得る。
【０１８９】
プロセッサ1320は、インテリジェントハードウェアデバイス(たとえば、汎用プロセッサ、DSP、CPU、マイクロコントローラ、ASIC、FPGA、PLD、個別ゲートもしくはトランジスタ論理構成要素、個別ハードウェア構成要素、またはそれらの任意の組合せ)を含んでよい。場合によっては、プロセッサ1320は、メモリコントローラを使用してメモリアレイを動作させるように構成され得る。他の場合には、メモリコントローラはプロセッサ1320の中に統合されてよい。プロセッサ1320は、様々な機能(たとえば、RACHメッセージングのための探索空間構成をサポートする機能またはタスク)を実行するために、メモリの中に記憶されたコンピュータ可読命令を実行するように構成され得る。
【０１９０】
メモリ1325は、RAMおよびROMを含んでよい。メモリ1325は、実行されたとき、本明細書で説明する様々な機能をプロセッサに実行させる命令を含む、コンピュータ可読コンピュータ実行可能ソフトウェア1330を記憶し得る。場合によっては、メモリ1325は、特に、周辺構成要素または周辺デバイスとの相互作用などの基本的なハードウェア動作またはソフトウェア動作を制御し得るBIOSを含んでよい。
【０１９１】
ソフトウェア1330は、RACHメッセージングのための探索空間構成をサポートするためのコードを含む、本開示の態様を実施するためのコードを含んでよい。ソフトウェア1330は、システムメモリまたは他のメモリなどの非一時的コンピュータ可読媒体の中に記憶され得る。場合によっては、ソフトウェア1330は、プロセッサによって直接実行可能でなくてよいが、(たとえば、コンパイルおよび実行されたとき)本明細書で説明する機能をコンピュータに実行させてよい。
【０１９２】
トランシーバ1335は、本明細書で説明するように、1つまたは複数のアンテナ、有線リンク、またはワイヤレスリンクを介して双方向に通信し得る。たとえば、トランシーバ1335は、ワイヤレストランシーバを表してよく、別のワイヤレストランシーバと双方向に通信し得る。トランシーバ1335はまた、送信のためにパケットを変調するとともに被変調パケットをアンテナに提供し、かつアンテナから受信されたパケットを復調するための、モデムを含んでよい。
【０１９３】
場合によっては、ワイヤレスデバイスは単一のアンテナ1340を含んでよい。しかしながら、場合によっては、デバイスは、複数のワイヤレス送信を並行して送信または受信することが可能であり得る2つ以上のアンテナ1340を有してよい。
【０１９４】
ネットワーク通信マネージャ1345は、(たとえば、1つまたは複数の有線バックホールリンクを介した)コアネットワーク130との通信を管理し得る。たとえば、ネットワーク通信マネージャ1345は、1つまたは複数のUE115などのクライアントデバイスのためのデータ通信の転送を管理し得る。
【０１９５】
局間通信マネージャ1350は、他の基地局105との通信を管理し得、他の基地局105と協働してUE115との通信を制御するためのコントローラまたはスケジューラを含んでよい。たとえば、局間通信マネージャ1350は、ビームフォーミングまたはジョイント送信などの様々な干渉緩和技法のために、UE115への送信に対するスケジューリングを協調させ得る。いくつかの例では、局間通信マネージャ1350は、基地局105の間での通信を提供するために、LTE/LTE-Aワイヤレス通信ネットワーク技術内のX2インターフェースを提供し得る。
【０１９６】
図14は、本開示の態様によるRACHメッセージングのための探索空間構成のための方法1400を示すフローチャートを示す。方法1400の動作は、本明細書で説明するようなUE115またはその構成要素によって実施され得る。たとえば、方法1400の動作は、図6〜図9を参照しながら説明したようなUE探索空間モジュールによって実行され得る。いくつかの例では、UE115は、本明細書で説明する機能を実行するようにデバイスの機能要素を制御するためのコードのセットを実行し得る。追加または代替として、UE115は、本明細書で説明する機能の態様を、専用ハードウェアを使用して実行し得る。
【０１９７】
1405において、UE115は、第1の受信ビーム上でUE115によって受信されたSSBに基づいて第1のRACHメッセージを基地局へ送信し得る。1405の動作は、本明細書で説明する方法に従って実行され得る。いくつかの例では、1405の動作の態様は、図6〜図9を参照しながら説明したような送信構成要素によって実行され得る。
【０１９８】
1410において、UE115は、基地局からの1つまたは複数の他のSSBの送信のために基地局によって使用される時間リソースのセットを識別し得る。1410の動作は、本明細書で説明する方法に従って実行され得る。いくつかの例では、1410の動作の態様は、図6〜図9を参照しながら説明したような時間リソース識別器によって実行され得る。
【０１９９】
1415において、UE115は、第1のRACHメッセージに基づいて、PDCCHメッセージを受信するための探索空間を識別し得、ここで、識別済みの探索空間は、時間リソースの識別済みのセットとは異なる時間リソースを含む。1415の動作は、本明細書で説明する方法に従って実行され得る。いくつかの例では、1415の動作の態様は、図6〜図9を参照しながら説明したような探索空間識別器によって実行され得る。
【０２００】
1420において、UE115は、識別済みの探索空間の中でPDCCHメッセージを求めて監視し得る。1420の動作は、本明細書で説明する方法に従って実行され得る。いくつかの例では、1420の動作の態様は、図6〜図9を参照しながら説明したような監視構成要素によって実行され得る。
【０２０１】
図15は、本開示の態様によるRACHメッセージングのための探索空間構成のための方法1500を示すフローチャートを示す。方法1500の動作は、本明細書で説明するようなUE115またはその構成要素によって実施され得る。たとえば、方法1500の動作は、図6〜図9を参照しながら説明したようなUE探索空間モジュールによって実行され得る。いくつかの例では、UE115は、本明細書で説明する機能を実行するようにデバイスの機能要素を制御するためのコードのセットを実行し得る。追加または代替として、UE115は、本明細書で説明する機能の態様を、専用ハードウェアを使用して実行し得る。
【０２０２】
1505において、UE115は、第1の受信ビーム上でUE115によって受信されたSSBに基づいて第1のRACHメッセージを基地局へ送信し得る。1505の動作は、本明細書で説明する方法に従って実行され得る。いくつかの例では、1505の動作の態様は、図6〜図9を参照しながら説明したような送信構成要素によって実行され得る。
【０２０３】
1510において、UE115は、基地局からの1つまたは複数の他のSSBの送信のために基地局によって使用される時間リソースのセットを識別し得る。1510の動作は、本明細書で説明する方法に従って実行され得る。いくつかの例では、1510の動作の態様は、図6〜図9を参照しながら説明したような時間リソース識別器によって実行され得る。
【０２０４】
1515において、UE115は、第1のRACHメッセージに基づいて、PDCCHメッセージを受信するための探索空間を識別し得、ここで、識別済みの探索空間は、時間リソースの識別済みのセットとは異なる時間リソースを含む。1515の動作は、本明細書で説明する方法に従って実行され得る。いくつかの例では、1515の動作の態様は、図6〜図9を参照しながら説明したような探索空間識別器によって実行され得る。
【０２０５】
1520において、UE115は、第1の受信ビームを選択し得る。1520の動作は、本明細書で説明する方法に従って実行され得る。いくつかの例では、1520の動作の態様は、図6〜図9を参照しながら説明したようなビーム選択構成要素によって実行され得る。
【０２０６】
1525において、UE115は、識別済みの探索空間の中でPDCCHメッセージを求めて監視し得、ここで、識別済みの探索空間は、時間リソースの識別済みのセットとは異なる時間リソースの間、選択された第1の受信ビームを使用して監視される。1525の動作は、本明細書で説明する方法に従って実行され得る。いくつかの例では、1525の動作の態様は、図6〜図9を参照しながら説明したような監視構成要素によって実行され得る。
【０２０７】
1530において、UE115は、選択された第1の受信ビームとは異なる第2の受信ビームを選択し得る。1530の動作は、本明細書で説明する方法に従って実行され得る。いくつかの例では、1530の動作の態様は、図6〜図9を参照しながら説明したようなビーム選択構成要素によって実行され得る。
【０２０８】
1535において、UE115は、時間リソースの識別済みのセットの間、選択された第2の受信ビームを使用して1つまたは複数の他のSSBのうちの少なくとも1つのSSBを求めて監視し得る。1535の動作は、本明細書で説明する方法に従って実行され得る。いくつかの例では、1535の動作の態様は、図6〜図9を参照しながら説明したような監視構成要素によって実行され得る。
【０２０９】
図16は、本開示の態様によるRACHメッセージングのための探索空間構成のための方法1600を示すフローチャートを示す。方法1600の動作は、本明細書で説明するような基地局105またはその構成要素によって実施され得る。たとえば、方法1600の動作は、図10〜図13を参照しながら説明したような基地局探索空間モジュールによって実行され得る。いくつかの例では、基地局105は、本明細書で説明する機能を実行するようにデバイスの機能要素を制御するためのコードのセットを実行し得る。追加または代替として、基地局105は、本明細書で説明する機能の態様を、専用ハードウェアを使用して実行し得る。
【０２１０】
1605において、基地局105は、第1の受信ビーム上でUE115によって受信されたSSBに基づいて第1のRACHメッセージをUE115から受信し得る。1605の動作は、本明細書で説明する方法に従って実行され得る。いくつかの例では、1605の動作の態様は、図10〜図13を参照しながら説明したような受信構成要素によって実行され得る。
【０２１１】
1610において、基地局105は、基地局105による1つまたは複数の他のSSBの送信のために使用される時間リソースのセットを識別し得る。1610の動作は、本明細書で説明する方法に従って実行され得る。いくつかの例では、1610の動作の態様は、図10〜図13を参照しながら説明したような時間リソース識別器によって実行され得る。
【０２１２】
1615において、基地局105は、第1のRACHメッセージに基づいて、UE115がPDCCHメッセージを受信するための探索空間を識別し得、ここで、識別済みの探索空間は、時間リソースの識別済みのセットとは異なる時間リソースを含む。1615の動作は、本明細書で説明する方法に従って実行され得る。いくつかの例では、1615の動作の態様は、図10〜図13を参照しながら説明したような探索空間識別器によって実行され得る。
【０２１３】
1620において、基地局105は、識別済みの探索空間内のCCEにPDCCHメッセージをマッピングし得る。1620の動作は、本明細書で説明する方法に従って実行され得る。いくつかの例では、1620の動作の態様は、図10〜図13を参照しながら説明したようなマッピング構成要素によって実行され得る。
【０２１４】
1625において、基地局105は、マッピングに従ってPDCCHメッセージをUE115へ送信し得る。1625の動作は、本明細書で説明する方法に従って実行され得る。いくつかの例では、1625の動作の態様は、図10〜図13を参照しながら説明したような送信構成要素によって実行され得る。
【０２１５】
本明細書で説明した方法が可能な実装形態を表すこと、動作およびステップが再構成され得るかまたは別様に修正され得ること、ならびに他の実装形態が可能であることに留意されたい。さらに、方法のうちの2つ以上からの態様が組み合わせられてよい。
【０２１６】
本明細書で説明した技法は、符号分割多元接続(CDMA)、時分割多元接続(TDMA)、周波数分割多元接続(FDMA)、直交周波数分割多元接続(OFDMA)、シングルキャリア周波数分割多元接続(SC-FDMA)、および他のシステムなどの、様々なワイヤレス通信システムのために使用され得る。CDMAシステムは、CDMA2000、ユニバーサル地上波無線アクセス(UTRA)などの無線技術を実装し得る。CDMA2000は、IS-2000規格、IS-95規格、およびIS-856規格をカバーする。IS-2000リリースは、通常、CDMA2000 1X、1Xなどと呼ばれることがある。IS-856(TIA-856)は、通常、CDMA2000 1xEV-DO、高速パケットデータ(HRPD)などと呼ばれる。UTRAは、ワイドバンドCDMA(WCDMA(登録商標))、およびCDMAの他の変形態を含む。TDMAシステムは、モバイル通信用グローバルシステム(GSM)などの無線技術を実装し得る。
【０２１７】
OFDMAシステムは、ウルトラモバイルブロードバンド(UMB)、E-UTRA、米国電気電子技術者協会(IEEE)802.11(Wi-Fi)、IEEE802.16(WiMAX)、IEEE802.20、Flash-OFDMなどの無線技術を実装し得る。UTRAおよびE-UTRAは、ユニバーサルモバイル電気通信システム(UMTS)の一部である。LTE、LTE-A、およびLTE-A Proは、E-UTRAを使用するUMTSのリリースである。UTRA、E-UTRA、UMTS、LTE、LTE-A、LTE-A Pro、NR、およびGSMは、「第3世代パートナーシッププロジェクト」(3GPP)と称する団体からの文書に記載されている。CDMA2000およびUMBは、「第3世代パートナーシッププロジェクト2」(3GPP2)と称する団体からの文書に記載されている。本明細書で説明した技法は、本明細書で述べられたシステムおよび無線技術ならびに他のシステムおよび無線技術のために使用され得る。LTE、LTE-A、LTE-A Pro、またはNRシステムの態様が、例として説明されることがあり、LTE、LTE-A、LTE-A Pro、またはNR用語が、説明の大部分において使用されることがあるが、本明細書で説明した技法は、LTE、LTE-A、LTE-A Pro、またはNR適用例以外に適用可能である。
【０２１８】
マクロセルは、一般に、比較的大きい地理的エリア(たとえば、半径数キロメートル)をカバーし、ネットワークプロバイダのサービスに加入しているUE115による無制限アクセスを可能にし得る。スモールセルは、マクロセルと比較して低電力の基地局105に関連してよく、スモールセルは、マクロセルと同じかまたはマクロセルとは異なる(たとえば、認可、無認可など)周波数帯域において動作し得る。スモールセルは、様々な例によれば、ピコセル、フェムトセル、およびマイクロセルを含んでよい。ピコセルは、たとえば、小さい地理的エリアをカバーしてよく、ネットワークプロバイダのサービスに加入しているUE115による無制限アクセスを可能にし得る。フェムトセルも、小さい地理的エリア(たとえば、自宅)をカバーしてよく、フェムトセルとの関連付けを有するUE115(たとえば、限定加入者グループ(CSG)の中のUE115、自宅の中のユーザ用のUE115など)による制限付きアクセスを提供し得る。マクロセル用のeNBは、マクロeNBと呼ばれることがある。スモールセル用のeNBは、スモールセルeNB、ピコeNB、フェムトeNB、またはホームeNBと呼ばれることがある。eNBは、1つまたは複数(たとえば、2つ、3つ、4つなど)のセルをサポートし得、1つまたは複数のCCを使用する通信もサポートし得る。
【０２１９】
本明細書で説明した1つまたは複数のワイヤレス通信システム100は、同期動作または非同期動作をサポートし得る。同期動作の場合、基地局105は類似のフレームタイミングを有してよく、異なる基地局105からの送信は時間的にほぼ位置合わせされ得る。非同期動作の場合、基地局105は異なるフレームタイミングを有することがあり、異なる基地局105からの送信は時間的に位置合わせされないことがある。本明細書で説明した技法は、同期動作または非同期動作のいずれかのために使用され得る。
【０２２０】
本明細書で説明した情報および信号は、様々な異なる技術および技法のうちのいずれかを使用して表されてよい。たとえば、本説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表されてよい。
【０２２１】
本明細書の開示に関して説明した様々な例示的なブロックおよびモジュールは、汎用プロセッサ、DSP、ASIC、FPGAもしくは他のPLD、個別ゲートもしくはトランジスタ論理、個別ハードウェア構成要素、または本明細書で説明した機能を実行するように設計されたそれらの任意の組合せを用いて実装または実行され得る。汎用プロセッサはマイクロプロセッサであってよいが、代替として、プロセッサは、任意の従来のプロセッサ、コントローラ、マイクロコントローラ、またはステートマシンであってよい。プロセッサはまた、コンピューティングデバイスの組合せ(たとえば、DSPとマイクロプロセッサとの組合せ、複数のマイクロプロセッサ、DSPコアと連携する1つもしくは複数のマイクロプロセッサ、または任意の他のそのような構成)として実装され得る。
【０２２２】
本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、1つまたは複数の命令またはコードとして、コンピュータ可読媒体上に記憶され得るか、またはコンピュータ可読媒体を介して送信され得る。他の例および実装形態が、本開示および添付の特許請求の範囲内に入る。たとえば、ソフトウェアの性質に起因して、本明細書で説明した機能は、プロセッサによって実行されるソフトウェア、ハードウェア、ファームウェア、ハードワイヤリング、またはこれらのうちのいずれかの組合せを使用して実装され得る。機能を実施する特徴はまた、異なる物理的ロケーションにおいて機能の部分が実装されるように分散されることを含めて、様々な位置に物理的に配置され得る。
【０２２３】
コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用コンピュータまたは専用コンピュータによってアクセスされ得る任意の利用可能な媒体であってよい。限定ではなく例として、非一時的コンピュータ可読媒体は、RAM、ROM、電気的消去可能プログラマブル読取り専用メモリ(EEPROM)、フラッシュメモリ、コンパクトディスク(CD)ROMまたは他の光ディスクストレージ、磁気ディスクストレージまたは他の磁気記憶デバイス、あるいは命令またはデータ構造の形態の所望のプログラムコード手段を担持または記憶するために使用され得るとともに、汎用コンピュータもしくは専用コンピュータまたは汎用プロセッサもしくは専用プロセッサによってアクセスされ得る、任意の他の非一時的媒体を含んでよい。また、任意の接続が、適切にコンピュータ可読媒体と呼ばれる。たとえば、ソフトウェアが、同軸ケーブル、光ファイバーケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバーケーブル、ツイストペア、DSL、または赤外線、無線、およびマイクロ波などのワイヤレス技術は、媒体の定義に含まれる。本明細書で使用するディスク(disk)およびディスク(disc)は、CD、レーザーディスク(登録商標)(disc)、光ディスク(disc)、デジタル多用途ディスク(disc)(DVD)、フロッピーディスク(disk)、およびBlue-rayディスク(disc)を含み、ここで、ディスク(disk)は、通常、データを磁気的に再生し、ディスク(disc)は、レーザーを用いてデータを光学的に再生する。上記のものの組合せも、コンピュータ可読媒体の範囲内に含まれる。
【０２２４】
特許請求の範囲内を含めて本明細書で使用するとき、項目の列挙(たとえば、「のうちの少なくとも1つ」または「のうちの1つまたは複数」などの句で終わる項目の列挙)において使用される「または」は、たとえば、A、B、またはCのうちの少なくとも1つという列挙が、AまたはBまたはCまたはABまたはACまたはBCまたはABC(すなわち、AおよびBおよびC)を意味するような、包括的な列挙を示す。また、本明細書で使用する「に基づいて」という句は、条件の閉集合を指すものと解釈されてはならない。たとえば、「条件Aに基づいて」として説明される例示的なステップは、本開示の範囲から逸脱することなく、条件Aと条件Bの両方に基づいてよい。言い換えれば、本明細書で使用する「に基づいて」という句は、「に少なくとも部分的に基づいて」という句と同様に解釈されるものとする。
【０２２５】
添付の図では、類似の構成要素または特徴は、同じ参照ラベルを有することがある。さらに、同じタイプの様々な構成要素は、参照ラベルの後に、ダッシュおよび類似の構成要素を区別する第2のラベルを続けることによって区別されてよい。第1の参照ラベルのみが本明細書で使用される場合、説明は、第2の参照ラベル、または他の後続の参照ラベルにかかわらず、同じ第1の参照ラベルを有する類似の構成要素のうちのいずれにも適用可能である。
【０２２６】
添付の図面に関して本明細書に記載した説明は、例示的な構成を説明しており、実装され得るかまたは特許請求の範囲内に入るすべての例を表すとは限らない。本明細書で使用する「例示的」という用語は、「例、事例、または例示として働くこと」を意味し、「好ましい」または「他の例よりも有利な」を意味するものではない。発明を実施するための形態は、説明した技法の理解をもたらすための具体的な詳細を含む。しかしながら、これらの技法はこれらの具体的な詳細なしに実践され得る。いくつかの事例では、説明した例の概念を不明瞭にすることを回避するために、よく知られている構造およびデバイスがブロック図の形態で示される。
【０２２７】
本明細書での説明は、当業者が本開示を作成または使用することを可能にするために提供される。本開示の様々な変更は当業者には容易に明らかとなり、本明細書で定義される一般原理は、本開示の範囲から逸脱することなく他の変形形態に適用され得る。したがって、本開示は、本明細書で説明した例および設計に限定されず、本明細書で開示する原理および新規の特徴に合致する最も広い範囲が与えられるべきである。
【符号の説明】
【０２２８】
100、200  ワイヤレス通信システム
105  基地局
110  地理的カバレージエリア
115  ユーザ機器(UE)
125  通信リンク
130  コアネットワーク
132、134  バックホールリンク
205  送信ビーム
210、310  同期信号ブロック(SSB)
215  受信ビーム
220  ランダムアクセス(RACH)メッセージ
300  シグナリングタイムライン
315  RACH機会
320  ランダムアクセス応答(RAR)ウィンドウ
325  RACHメッセージ2
400  多重化パターン
405  パターン
410  時間リソース
415  周波数リソース
420  SS/PBCHブロック
425  CORESET
430  物理ダウンリンク共有チャネル(PDSCH)
605、705、1005、1105  ワイヤレスデバイス
610、710、1010、1110  受信機
615、715、815、915  UE探索空間モジュール
620、720、1020、1120  送信機
725、820、1145、1240  送信構成要素
730、825、1130、1225  時間リソース識別器
735、830、1135、1230  探索空間識別器
740、835  監視構成要素
840、1245  探索空間構成構成要素
845、1125、1220  受信構成要素
850  ビーム選択構成要素
900、1300  システム
905、1305  デバイス
910、1310  バス
920、1320  プロセッサ
925、1325  メモリ
930、1330  ソフトウェア
935、1335  トランシーバ
940、1340  アンテナ
945  I/Oコントローラ
1015、1115、1215、1315  基地局探索空間モジュール
1140、1235  マッピング構成要素
1345  ネットワーク通信マネージャ
1350  局間通信マネージャ
【図１】
2021521711.tif 000019
【図２】
2021521711.tif 000020
【図３】
2021521711.tif 000021
【図４】
2021521711.tif 000022
【図５】
2021521711.tif 000023
【図６】
2021521711.tif 000024
【図７】
2021521711.tif 000025
【図８】
2021521711.tif 000026
【図９】
2021521711.tif 000027
【図１０】
2021521711.tif 000028
【図１１】
2021521711.tif 000029
【図１２】
2021521711.tif 000030
【図１３】
2021521711.tif 000031
【図１４】
2021521711.tif 000032
【図１５】
2021521711.tif 000033
【図１６】
2021521711.tif 000034
【国際調査報告】
2021521711.tif 000035
2021521711.tif 000036